(57)【特許請求の範囲】
【請求項１】
帯電させた感光体表面を露光して静電潜像を形成する露光工程と、前記静電潜像を光による発色情報の付与により発色または非発色の状態を維持するように制御されるトナーで現像して現像トナー像を形成する工程と、現像トナー像に露光して発色情報を付与する発色情報付与工程と、を含む画像形成方法に使用される色ずれ補正用のテストパターン画像であって、
第１の色で画像が形成され且つ第１の方向に延びる線分及び前記第１の方向と交差する第２の方向に延びる線分を輪郭に含む第１画像部と、該第１画像部の周囲に設けられ且つ画像が形成されない非画像部とで構成され、静電潜像を形成するための露光領域の位置を特定するための第１パターン画像と、
前記第１パターン画像に対し前記第１の方向又は前記第２の方向に並ぶように配置され、前記第１の色とは異なる第２の色で画像が形成され且つ第１の方向に延びる線分及び第２の方向に延びる線分を輪郭に含む第２画像部と、該第２画像部の周囲に設けられ且つ前記第１の色及び前記第２の色とは異なる第３の色で背景画像が形成される背景画像部とで構成され、現像トナー像に発色情報を付与するための露光領域の位置を特定するための第２パターン画像と、
を含む色ずれ補正用のテストパターン画像。
【請求項２】
前記第１画像部及び前記第２画像部は、前記第１の方向と平行な線分を輪郭に含む図形の画像であることを特徴とする請求項１に記載のテストパターン画像。
【請求項３】
前記第１画像部及び前記第２画像部は、前記第２の方向に平行な線分を輪郭に含む図形の画像であることを特徴とする請求項１又は２に記載のテストパターン画像。
【請求項４】
前記トナーが、互いに隔離された状態で存在し、互いに反応した際に発色する第１の成分及び第２の成分と、該第１の成分及び第２の成分のいずれかを含む光硬化性組成物と、を有し、光による発色情報の付与により前記光硬化性組成物が硬化または未硬化の状態を維持することにより、発色可能な状態または非発色の状態を維持するトナーであることを特徴とする請求項１〜３の何れか１項に記載のテストパターン画像。
【請求項５】
帯電させた感光体表面を露光して静電潜像を形成する露光工程と、前記静電潜像を光による発色情報の付与により発色または非発色の状態を維持するように制御されるトナーで現像して現像トナー像を形成する工程と、現像トナー像に露光して発色情報を付与する発色情報付与工程と、を含む画像形成方法に使用される色ずれ補正方法であって、
請求項１〜４の何れか１項に記載のテストパターン画像に基づいて、帯電させた感光体表面を露光して、前記第１画像部、前記第２画像部、及び前記背景画像部に対応する領域に静電潜像を形成する潜像露光工程と、
前記静電潜像を光による発色情報の付与により発色または非発色の状態を維持するように制御されるトナーで現像して現像トナー像を形成する現像工程と、
前記テストパターン画像に基づいて、現像トナー像を露光して、前記第１画像部及び前記非画像部に対応する領域に第１の色で発色するように発色情報を付与し、前記第２画像部に対応する領域に第２の色で発色するように発色情報を付与し、前記背景画像部に対応する領域に第３の色で発色するように発色情報を付与する発色情報付与工程と、
加熱により前記発色情報を付与されたトナー像を発色させる発色工程と、
第１の色で発色した前記第１画像部の位置と、第２の色で発色した前記第２画像部の位置とから、静電潜像を形成するための露光領域の位置と、現像トナー像に発色情報を付与するための露光領域の位置との相対的なずれ量を計測するずれ量計測工程と、
計測されたずれ量に基づいて、静電潜像を形成するための露光領域と現像トナー像に発色情報を付与するための露光領域とが一致するように、静電潜像を形成するための露光領域の位置及び現像トナー像に発色情報を付与するための露光領域の位置の少なくとも一方を補正する色ずれ補正工程と、
を含むことを特徴とする色ずれ補正方法。
【請求項６】
帯電させた感光体表面を露光して静電潜像を形成する露光装置と、前記静電潜像を光による発色情報の付与により発色または非発色の状態を維持するように制御されるトナーで現像して現像トナー像を形成する現像装置と、現像トナー像に露光して発色情報を付与する発色情報付与装置と、を含む画像形成装置であって、
請求項１〜４の何れか１項に記載のテストパターン画像の画像データを記憶した記憶部と、
前記テストパターン画像の画像データが入力された場合に、該画像データに基づいて、前記第１画像部、前記第２画像部、及び前記背景画像部に対応する領域に静電潜像を形成するための第１の書き込みデータを生成すると共に、前記第１画像部及び前記非画像部に対応する領域に第１の色で発色するように発色情報を付与し、前記第２画像部に対応する領域に第２の色で発色するように発色情報を付与し、前記背景画像部に対応する領域に第３の色で発色するように発色情報を付与する第２の書き込みデータを生成する画像処理部と、
前記第１の書き込みデータに基づいて、第１のタイミングで静電潜像を形成するように、前記露光装置を駆動制御する露光制御部と、
前記第２の書き込みデータに基づいて、第２のタイミングで現像トナー像に発色情報を付与するように、前記発色情報付与装置を駆動制御する発色情報付与制御部と、
画像形成装置により形成された画像を読み取って色ずれを検出する色ずれ検出部と、
前記色ずれ検出部で読み取った画像に基づいて、静電潜像を形成するための露光領域の位置と、現像トナー像に発色情報を付与するための露光領域の位置との相対的なずれ量を計測するずれ量計測手段と、
計測されたずれ量に基づいて、静電潜像を形成するための露光領域と現像トナー像に発色情報を付与するための露光領域とが一致するように、静電潜像を形成する第１のタイミング及び現像トナー像に発色情報を付与する第２のタイミングの少なくとも一方を補正する色ずれ補正手段と、
を更に含むことを特徴とする画像形成装置。
【発明の詳細な説明】
【技術分野】
【０００１】
本発明は、テストパターン画像、色ずれ補正方法、及び画像形成装置に関し、詳しくは、光による発色情報の付与により発色または非発色の状態を維持するように制御されるトナーを用いた画像形成方法に適用される、テストパターン画像、色ずれ補正方法、及び画像形成装置に関する。
【背景技術】
【０００２】
従来、電子写真方式でカラー画像を得る記録装置においては、基本三原色をそれぞれの画像情報に応じて現像し、これらのトナー像を順次重ね合わせることでカラー画像を得ている。具体的な装置構成としては、画像形成の方法によって潜像形成された一つの感光体ドラムに各色ごとに現像し、それらを転写部材に転写することを繰り返してカラー画像を得る所謂４サイクル機、あるいは各色の画像形成手段ごとに感光体ドラム、現像装置を具備して転写部材が移動することにより順次連続してトナー像を転写してカラー画像を得るタンデム機などが知られている。
【０００３】
これらは少なくとも、各色ごとに複数の現像装置を持つことで共通している。そのため、通常のカラー画像形成では三原色に黒色を加えた４つの現像装置が必要であり、さらにタンデム機ではそれぞれの４つの現像装置に応じて４つの感光体ドラムが必要であり、それら４つの画像形成手段の同期を整合する手段が必要になるなど、装置の大型化やコストの増大は避けられないものとなっている。
【０００４】
これに対し、光による発色情報の付与により発色または非発色の状態を維持するように制御されるトナーを用いて、単一の現像装置でカラー画像を得る方法が提案されている（例えば、特許文献１参照）。これらの技術では、像担持体上にトナー像を形成した後に、トナー像に該トナーを発色させるために光を照射している。この方法では、該トナーの位置、すなわち静電潜像形成のための露光位置と、トナーを発色させるための露光位置にずれを生じると、狙った色にトナーが発色しないことがある。即ち、色ずれを生じてしまう。
【０００５】
しかしながら、この色ずれを補正する具体的方法について、特許文献１では何ら説明されていない。また、光による発色情報の付与により発色または非発色の状態を維持するように制御されるトナーを用いた画像形成方法は、従来のカラーレーザプリンタの画像形成方法とは、使用トナー、作像・発色工程がまったく異なる。このため、例えば、色ずれ検出パターン等、従来のカラーレーザプリンタで用いられている色ずれ補正技術を、そのまま適用することはできない。
【特許文献１】特開２００３−３３０２２８号公報
【発明の開示】
【発明が解決しようとする課題】
【０００６】
本発明は、上記事情に鑑み成されたものであり、本発明の目的は、光による発色情報の付与により発色または非発色の状態を維持するように制御されるトナーを用いた画像形成方法に適用した場合に、色ずれを補正することができる、テストパターン画像、色ずれ補正方法、及び画像形成装置を提供することにある。
【課題を解決するための手段】
【０００７】
上記目的を達成するために請求項１に記載の発明は、帯電させた感光体表面を露光して静電潜像を形成する露光工程と、前記静電潜像を光による発色情報の付与により発色または非発色の状態を維持するように制御されるトナーで現像して現像トナー像を形成する工程と、現像トナー像に露光して発色情報を付与する発色情報付与工程と、を含む画像形成方法に使用される色ずれ補正用のテストパターン画像であって、第１の色で画像が形成され且つ第１の方向に延びる線分及び前記第１の方向と交差する第２の方向に延びる線分を輪郭に含む第１画像部と、該第１画像部の周囲に設けられ且つ画像が形成されない非画像部とで構成され、静電潜像を形成するための露光領域の位置を特定するための第１パターン画像と、前記第１パターン画像に対し前記第１の方向又は前記第２の方向に並ぶように配置され、前記第１の色とは異なる第２の色で画像が形成され且つ第１の方向に延びる線分及び第２の方向に延びる線分を輪郭に含む第２画像部と、該第２画像部の周囲に設けられ且つ前記第１の色及び前記第２の色とは異なる第３の色で背景画像が形成される背景画像部とで構成され、現像トナー像に発色情報を付与するための露光領域の位置を特定するための第２パターン画像と、を含むことを特徴とする。
【０００８】
請求項２に記載の発明は、請求項１に記載のテストパターン画像において、前記第１画像部及び前記第２画像部は、前記第１の方向と平行な線分を輪郭に含む図形の画像であることを特徴とする。
【０００９】
請求項３に記載の発明は、請求項１又は２に記載のテストパターン画像において、前記第１画像部及び前記第２画像部は、前記第２の方向に平行な線分を輪郭に含む図形の画像であることを特徴とする。
【００１０】
請求項４に記載の発明は、請求項１〜３の何れか１項に記載のテストパターン画像において、前記トナーが、互いに隔離された状態で存在し、互いに反応した際に発色する第１の成分及び第２の成分と、該第１の成分及び第２の成分のいずれかを含む光硬化性組成物と、を有し、光による発色情報の付与により前記光硬化性組成物が硬化または未硬化の状態を維持することにより、発色可能な状態または非発色の状態を維持するトナーであることを特徴とする。
【００１１】
請求項５に記載の発明は、帯電させた感光体表面を露光して静電潜像を形成する露光工程と、前記静電潜像を光による発色情報の付与により発色または非発色の状態を維持するように制御されるトナーで現像して現像トナー像を形成する工程と、現像トナー像に露光して発色情報を付与する発色情報付与工程と、を含む画像形成方法に使用される色ずれ補正方法であって、請求項１〜４の何れか１項に記載のテストパターン画像に基づいて、帯電させた感光体表面を露光して、前記第１画像部、前記第２画像部、及び前記背景画像部に対応する領域に静電潜像を形成する潜像露光工程と、前記静電潜像を光による発色情報の付与により発色または非発色の状態を維持するように制御されるトナーで現像して現像トナー像を形成する現像工程と、前記テストパターン画像に基づいて、現像トナー像を露光して、前記第１画像部及び前記非画像部に対応する領域に第１の色で発色するように発色情報を付与し、前記第２画像部に対応する領域に第２の色で発色するように発色情報を付与し、前記背景画像部に対応する領域に第３の色で発色するように発色情報を付与する発色情報付与工程と、加熱により前記発色情報を付与されたトナー像を発色させる発色工程と、第１の色で発色した前記第１画像部の位置と、第２の色で発色した前記第２画像部の位置とから、静電潜像を形成するための露光領域の位置と、現像トナー像に発色情報を付与するための露光領域の位置との相対的なずれ量を計測するずれ量計測工程と、計測されたずれ量に基づいて、静電潜像を形成するための露光領域と現像トナー像に発色情報を付与するための露光領域とが一致するように、静電潜像を形成するための露光領域の位置及び現像トナー像に発色情報を付与するための露光領域の位置の少なくとも一方を補正する色ずれ補正工程と、を含むことを特徴とする。
【００１２】
請求項６に記載の発明は、帯電させた感光体表面を露光して静電潜像を形成する露光装置と、前記静電潜像を光による発色情報の付与により発色または非発色の状態を維持するように制御されるトナーで現像して現像トナー像を形成する現像装置と、現像トナー像に露光して発色情報を付与する発色情報付与装置と、を含む画像形成装置であって、請求項１〜４の何れか１項に記載のテストパターン画像の画像データを記憶した記憶部と、前記テストパターン画像の画像データが入力された場合に、該画像データに基づいて、前記第１画像部、前記第２画像部、及び前記背景画像部に対応する領域に静電潜像を形成するための第１の書き込みデータを生成すると共に、前記第１画像部及び前記非画像部に対応する領域に第１の色で発色するように発色情報を付与し、前記第２画像部に対応する領域に第２の色で発色するように発色情報を付与し、前記背景画像部に対応する領域に第３の色で発色するように発色情報を付与する第２の書き込みデータを生成する画像処理部と、前記第１の書き込みデータに基づいて、第１のタイミングで静電潜像を形成するように、前記露光装置を駆動制御する露光制御部と、前記第２の書き込みデータに基づいて、第２のタイミングで現像トナー像に発色情報を付与するように、前記発色情報付与装置を駆動制御する発色情報付与制御部と、画像形成装置により形成された画像を読み取って色ずれを検出する色ずれ検出部と、前記色ずれ検出部で読み取った画像に基づいて、静電潜像を形成するための露光領域の位置と、現像トナー像に発色情報を付与するための露光領域の位置との相対的なずれ量を計測するずれ量計測手段と、計測されたずれ量に基づいて、静電潜像を形成するための露光領域と現像トナー像に発色情報を付与するための露光領域とが一致するように、静電潜像を形成する第１のタイミング及び現像トナー像に発色情報を付与する第２のタイミングの少なくとも一方を補正する色ずれ補正手段と、を更に含むことを特徴とする。
【発明の効果】
【００１３】
請求項１に記載のテストパターン画像によれば、帯電させた感光体表面を露光して静電潜像を形成する露光工程と、前記静電潜像を光による発色情報の付与により発色または非発色の状態を維持するように制御されるトナーで現像して現像トナー像を形成する工程と、現像トナー像に露光して発色情報を付与する発色情報付与工程と、を含む画像形成方法に使用した場合に、静電潜像を形成するための露光領域の位置と、現像トナー像に発色情報を付与するための露光領域の位置との相対的なずれ量を計測することができ、色ずれを補正することができる、という効果がある。
【００１４】
請求項２に記載のテストパターン画像によれば、副走査方向の相対的なずれ量を計測することができる、という効果がある。
【００１５】
請求項３に記載のテストパターン画像によれば、主走査方向の相対的なずれ量を計測することができる、という効果がある。
【００１６】
請求項４に記載のテストパターン画像によれば、トナーに対する発色情報付与メカニズムは可逆反応ではないので高画質画像が形成され、ずれ量の計測が容易となる、という効果がある。
【００１７】
請求項５に記載の色ずれ補正方法によれば、帯電させた感光体表面を露光して静電潜像を形成する露光工程と、前記静電潜像を光による発色情報の付与により発色または非発色の状態を維持するように制御されるトナーで現像して現像トナー像を形成する工程と、現像トナー像に露光して発色情報を付与する発色情報付与工程と、を含む画像形成方法に使用した場合に、静電潜像を形成するための露光領域の位置と、現像トナー像に発色情報を付与するための露光領域の位置との相対的なずれ量を計測することができ、色ずれを補正することができる、という効果がある。
【００１８】
請求項６に記載の画像形成装置によれば、静電潜像を形成するための露光領域の位置と、現像トナー像に発色情報を付与するための露光領域の位置との相対的なずれ量を計測することができ、色ずれを補正することができる、という効果がある。
【発明を実施するための最良の形態】
【００１９】
以下、図面を参照して本発明の実施の形態の一例を詳細に説明する。
【００２０】
＜画像形成方法＞
図１（Ａ）〜（Ｆ）は画像が形成される工程を説明するための図である。まず、図１（Ａ）〜（Ｆ）を参照して、本発明の前提となる、光による発色情報の付与により、発色または非発色の状態を維持するように制御されるトナー（以下、「感光性トナー」と称する）を用いる画像形成方法について説明する。
【００２１】
感光性トナーは、例えばトナーの１粒１粒が異なる波長の光で露光されると、該波長に応じた色に発色する（発色）状態、あるいは発色しない（非発色）状態を維持する機能を有している。すなわち、トナーがその内部に光による発色情報の付与により発色可能な発色性物質を有しており、光による発色情報の付与により、トナーが発色または非発色の状態を維持するように制御されるものである。なお、感光性トナーの詳細については後述する。
【００２２】
発色情報付与のための露光波長は、トナーが吸収する波長域である必要があるため使用されるトナーの材料設計により決まるが、例えば、特定波長の光照射により発色するトナー（光発色型トナー）を用いる場合、イエロー（Ｙ色）に発色させるときは４０５ｎｍの光（λｙ光）を、マゼンタ（Ｍ色）に発色させるときは５３５ｎｍの光（λｍ光）を、シアン（Ｃ色）に発色させるときは６５７ｎｍの光（λｃ光）を、その発色させる所望の位置にそれぞれ照射する。
【００２３】
図１（Ａ）は記録媒体１００上の画像形成領域１０２内に形成されたカラー画像を表す。例えば、複写により画像を形成する場合は、図１（Ａ）は元の原稿画像である。この例では、画像形成領域１０２内には、画像が形成される画像部１０４と、画像が形成されない非画像部１０６とが存在する。画像部１０４は、Ｙ色の画像部１０４Ｙ、Ｍ色の画像部１０４Ｍ、Ｃ色の画像部１０４Ｃ、及びＫ色の画像部１０４Ｋから構成されている。
【００２４】
上記感光性トナーを用いた画像形成方法で、図１（Ａ）に示す画像を形成する。まず、図１（Ｂ）に示すように、イエロー（Ｙ）、マゼンタ（Ｍ）、及びシアン（Ｃ）の３色の画像形成情報の論理和データに基づいて、予め帯電させた感光体の露光領域１０８を露光する。露光時には、所定の露光開始位置から走査露光を開始して、主走査方向、副走査方向に走査し、露光領域１０８の全面を露光する。感光体の露光領域１０８には、図１（Ａ）の画像部１０４に対応した領域に、静電潜像１１０が形成される。
【００２５】
次に、図１（Ｃ）に示すように、例えば上記感光性トナーを１つの現像器に搭載し、図１（Ｂ）の静電潜像１１０を該トナーで現像する。感光体の露光領域１０８には、図１（Ｂ）の静電潜像１１０が形成された領域に現像トナー像１１２が形成される。
【００２６】
次に、図１（Ｄ）に示すように、Ｙ、Ｍ、及びＣの３色の色情報に応じた波長の光（λｙ光、λｍ光、λｃ光）で、感光体の露光領域１１４を同時に露光する。感光体の露光領域１１４では、図１（Ａ）の画像部１０４及び非画像部１０６に対応した領域に、発色情報が付与される。このとき、発色情報付与のための露光領域１１４が、静電潜像１１０を形成するための露光領域１０８と重なるように露光されると、図１（Ｃ）で形成された現像トナー像１１２が露光され、現像トナー像１１２に発色情報が付与される。これにより、図１（Ａ）の画像部１０４に対応した領域に、発色情報が付与されたトナー像１１６が形成される。
【００２７】
次に、図１（Ｅ）に示すように、発色情報が付与されたトナー像１１６は、記録媒体１００上の画像形成領域１０２に転写される。その後、図１（Ｆ）に示すように、熱と圧力により、トナー像１１６が記録媒体１００に定着される。この時、熱によりトナーの発色反応が行なわれ、トナー像１１６が付与された発色情報に応じて発色する。これにより、記録媒体１００上の画像形成領域１０２内に、Ｙ色、Ｍ色、Ｃ色、及びＫ色の発色トナー像１１８Ｙ、１１８Ｍ、１１８Ｃ、１１８Ｋ（総称する場合は、「発色トナー像１１８」という）を有するカラー画像（図１（Ａ）と同じ画像）が形成される。なお、Ｋ色の発色トナー像は、Ｙ色、Ｍ色及びＣ色に発色したトナーの減色混合により形成される。
【００２８】
上記の感光性トナーを用いる画像形成方法によれば、１つの感光体と１つの現像器とでフルカラー画像を得ることができるので、画像形成装置本体の大きさは限りなくモノクロプリンタ並みの大きさに近づくこととなり、装置の小型化が可能となる。これに加えて、トナー像の形成に際して色毎にトナーを積層する必要がないために画像表面の凸凹が抑制でき、画像表面の光沢を均一にすることができ、更に、トナーに顔料等の着色剤を使わないため、銀塩ライクな画像を得ることも可能である。
【００２９】
＜色ずれの発生原因＞
図２（Ａ）〜（Ｅ）は色ずれの発生原因を説明するための図である。上述した通り、感光性トナーを用いる画像形成方法においては、露光により現像トナー像１１２に発色情報が付与されて、発色情報が付与されたトナー像１１６が形成される。このトナー像１１６は、定着時に加熱されて、付与された発色情報に応じて発色し、発色トナー像１１８となる（図１参照）。
【００３０】
しかしながら、図２（Ａ）に示すように、現像トナー像１１２の位置に対し、発色情報を付与する位置がずれてしまうと、発色情報が付与された部分に在る現像トナー像１１２しか発色せず、現像トナー像１１２の一部だけが発色トナー像１１８となる。即ち、色ずれが発生する。
【００３１】
上記の色ずれは、静電潜像１１０を形成するための露光領域１０８（図１（Ｂ）参照）の位置と、発色情報付与のための露光領域１１４（図１（Ｄ）参照）の位置と、がずれることにより発生する。図１（Ａ）の画像を形成する例で説明すると、図２（Ｂ）に示すように、露光領域１１４が露光領域１０８に対して矢印Ａ方向に所定量だけずれると、Ｙ色に発色するように発色情報が付与される領域１１４Ｙも、Ｙ色に発色させるために静電潜像を形成した領域１１０Ｙに対して、矢印Ａ方向に所定量だけずれる。
【００３２】
同様に、図２（Ｃ）に示すように、Ｍ色に発色するように発色情報が付与される領域１１４Ｍも、Ｍ色に発色させるために静電潜像を形成した領域１１０Ｍに対して、矢印Ａ方向に所定量だけずれる。また、図２（Ｄ）に示すように、Ｃ色に発色するように発色情報が付与される領域１１４Ｃも、Ｃ色に発色させるために静電潜像を形成した領域１１０Ｃに対して、矢印Ａ方向に所定量だけずれる。
【００３３】
この結果、図２（Ｅ）に示すように、記録媒体１００上に形成されたカラー画像では、画像形成領域１０２に対し、図１（Ａ）の画像部１０４に対応した領域に発色トナー像１１８が形成されず、色ずれが発生する。具体的には、現像トナー像１１２の一部が発色せずに白色画像となり、Ｙ色発色トナー像１１８Ｙは矢印Ａ方向に所定量だけずれる。また、Ｍ色発色トナー像１１８Ｍ、Ｃ色発色トナー像１１８Ｃ、及びＫ色発色トナー像１１８Ｋは、図１（Ａ）の画像と比較すると、画像の一部が欠けている。
【００３４】
図２（Ｅ）では、現像トナー像１１２の形成位置を点線で図示しているが、実際に記録媒体１００上に形成されたカラー画像から、現像トナー像１１２の形成位置を認識することはできない。従って、露光領域１１４の露光領域１０８に対する相対的な「ずれ量」を求めることは容易ではない。
【００３５】
上述した通り、色ずれが発生する原因は、静電潜像を形成するための露光（以下、「静電潜像露光」という。）と、発色情報付与するための露光（以下、「発色情報付与露光」という。）の２度の露光を行う、感光性トナーを用いる画像形成方法に固有のものである。本発明は、これら感光性トナーを用いる画像形成方法に固有の「色ずれ」を補正するための新規な技術を提案するものである。
【００３６】
＜色ずれ補正用のパターン画像＞
図３（Ａ）〜（Ｄ）は色ずれ補正用のパターン画像の一例を示す図である。このパターン画像２００により、静電潜像を形成するための露光領域の位置と、発色情報付与のための露光領域の位置との間の相対的な「ずれ量」を検出する。図３（Ａ）に示すように、パターン画像２００は、第１パターン２０２と、該第１パターン２０２と隣り合うように配置された第２パターン２０４と、で構成されている。
【００３７】
第１パターン２０２は、「第１の色」で画像が形成される第１画像部２０６と、画像が形成されない非画像部２０８とで構成されている。非画像部２０８は、第１画像部２０６の周囲に配置されている。第１画像部２０６は、所定形状の図形であり、その輪郭に主走査方向と平行な直線と、副走査方向に平行な直線と、を含んで構成されている。後述する通り、この第１画像部２０６が、静電潜像を形成するための露光領域の位置を特定する場合の基準となる。
【００３８】
この例では、図３（Ａ）に示すように、第１パターン２０２は、外周形状が矩形状のパターンであり、主走査方向と平行な２辺と副走査方向に平行な２辺とを有している。また、図３（Ｂ）に示すように、第１画像部２０６は、矩形状のラインマークであり、その輪郭に主走査方向と平行な第１の主基準直線２０６Ｍと、副走査方向に平行な第１の副基準直線２０６Ｓと、を含んでいる。また、第１画像部２０６は、第１の副基準直線２０６Ｓが、第２パターン２０４側の第１パターン２０２の副走査方向に平行な１辺と重なるように配置されている。
【００３９】
第２パターン２０４は、「第１の色」とは異なる「第２の色」で画像が形成される第２画像部２１０と、「第１の色」及び「第２の色」とは異なる「第３の色」で背景画像が形成される背景画像部２１２とで構成されている。背景画像部２１２は、第２画像部２１０の周囲に配置されている。第２画像部２１０は、所定形状の図形であり、その輪郭に主走査方向と平行な直線と、副走査方向に平行な直線と、を含んで構成されている。後述する通り、この第２画像部２１０が、発色情報付与のための露光領域の位置を特定する場合の基準となる。
【００４０】
この例では、図３（Ａ）に示すように、第２パターン２０４は、外周形状が矩形状のパターンであり、主走査方向と平行な２辺と副走査方向に平行な２辺とを有している。また、図３（Ｃ）に示すように、第２画像部２１０は、矩形状のラインマークであり、その輪郭に主走査方向と平行な第２の主基準直線２１０Ｍと、副走査方向に平行な第２の副基準直線２１０Ｓと、を含んでいる。また、第２画像部２１０は、第２の副基準直線２１０Ｓが、第１パターン２０２側の第２パターン２０４の副走査方向に平行な１辺と重なるように配置されると共に、第２の主基準直線２１０Ｍが、第１パターン２０２の第１画像部２０６の第１の主基準直線２０６Ｍの延長線上に位置するように配置されている。
【００４１】
第１画像部２０６の「第１の色」は、白色の非画像部２０８から第１画像部２０６を、目視又は光学的手段で識別することが可能な色であればよい。また、第２画像部２１０の「第２の色」は、「第１の色」の第１画像部２０６と「第２の色」の第２画像部２１０とを、目視又は光学的手段で識別することが可能な色であればよい。更に、背景画像部２１２の「第３の色」は、「第３の色」の背景画像部２１２から「第２の色」の第２画像部２１０を、目視又は光学的手段で識別することが可能な色であればよい。
【００４２】
目視による識別には、比較する２色のＬ＊ａ＊ｂ＊表色系による色差ΔＥ＊ａｂの値が３以上であることが好ましい。例えば、第１画像部２０６の「第１の色」をグリーン、第２画像部２１０の「第２の色」をイエロー、背景画像部２１２の「第３の色」をグレーとすれば、各々を目視により識別することが容易になる。
【００４３】
例えば、６００ドット/インチの解像度で画像を形成する場合には、第１パターン２０２及び第２パターン２０４の各々を６００ドット四方の大きさとし、第１画像部２０６及び第２画像部２１０の各々を幅１００ドット、長さ３００ドットの大きさの矩形状のラインマークとすることが、後述する「ずれ量」の計測には好適である。
【００４４】
また、第１パターン２０２と第２パターン２０４とは、図３（Ａ）に示すように、互いに離間するように配置してもよく、図３（Ｄ）に示すように、互いに隣接するように配置してもよい。図３（Ｄ）に示す配置では、第２パターン２０４側の第１パターン２０２の副走査方向に平行な１辺と、第１パターン２０２側の第２パターン２０４の副走査方向に平行な１辺と、が重なるように配置されている。この場合には、第２画像部２１０の第２の主基準直線２１０Ｍは、第１画像部２０６の第１の主基準直線２０６Ｍの延長線上に配置されると共に、第２画像部２１０の第２の副基準直線２１０Ｓは、第１画像部２０６の第１の副基準直線２０６Ｓと重なることになる。
【００４５】
＜ずれ量の検出＞
図４（Ａ）〜（Ｄ）は図３（Ｄ）のパターン画像２００を用いて「ずれ量」を検出する手順を説明するための図である。
【００４６】
図４（Ａ）は記録媒体１００上の画像形成領域１０２内にパターン画像２００が形成されたテストチャートを表す。パターン画像２００は、上述した通り、第１画像部２０６と非画像部２０８とからなる第１パターン２０２と、第２画像部２１０と背景画像部２１２とからなる第２パターン２０４と、で構成されている。
【００４７】
図４（Ｂ）はパターン画像２００に応じて感光体上に形成された現像トナー像３００を表す。静電潜像露光時には、感光体の露光領域１０８が露光されて静電潜像が形成される。この静電潜像が感光性トナーで現像されて、パターン画像２００に応じた現像トナー像３００が形成される。パターン画像２００の内、非画像部２０８を除いた、第１画像部２０６、第２画像部２１０、及び背景画像部２１２に対応する領域に、感光性トナーが付着した現像トナー像３００が形成される。
【００４８】
現像トナー像３００の構成を、パターン画像２００の構成に応じて説明する。現像トナー像３００は、第１パターン２０２に対応した領域３０２と、第２パターン２０４に対応した領域３０４と、で構成されている。領域３０２は、第１画像部２０６に対応してトナーが付着したトナー像領域３０６と、非画像部２０８に対応してトナーが付着していないトナー不在領域３０８と、で構成されている。一方、領域３０４は、第２画像部２１０に対応してトナーが付着したトナー像領域３１０と、背景画像部２１２に対応してトナーが付着したトナー像領域３１２と、で構成されている。即ち、領域３０４の全体が、トナーが付着したトナー像領域である。
【００４９】
図４（Ｃ）は発色情報付与露光時に、パターン画像２００に応じて感光体上に形成された露光パターン４００を表す。発色情報付与露光時には、感光体の露光領域１１４が、露光パターン４００で露光されて、露光領域１１４内に在る現像トナー像３００に発色情報が付与される。通常の発色情報付与露光の場合には、パターン画像２００の非画像部２０８に対応する領域には、発色情報が付与されない（非発色情報が付与される）。しかしながら、ずれ量を検出する場合には、非画像部２０８に対応する領域にも、第１画像部２０６と同様に「第１の色」に発色するように発色情報を付与する。
【００５０】
露光パターン４００の構成を、パターン画像２００の構成に応じて説明する。露光パターン４００は、第１パターン２０２に対応した領域４０２と、第２パターン２０４に対応した領域４０４と、で構成されている。領域４０２は、第１画像部２０６及び非画像部２０８に対応して「第１の色」で発色するように発色情報が付与される第１発色情報付与領域４０８から構成されている。即ち、領域４０２の全体が、発色情報が付与される第１発色情報付与領域である。一方、領域４０４は、第２画像部２１０に対応して「第２の色」で発色するように発色情報が付与される第２発色情報付与領域４１０と、背景画像部２１２に対応して「第３の色」で発色するように発色情報が付与される第３発色情報付与領域４１２と、で構成されている。
【００５１】
図４（Ｄ）を参照して、通常の発色情報付与露光と、ずれ量を検出する場合の発色情報付与露光との相違を更に詳しく説明する。通常の発色情報付与露光では、露光パターン４００の第１パターン２０２に対応した領域４０２は、第１画像部２０６に対応して「第１の色」で発色するように発色情報が付与される第１発色情報付与領域４０６と、非画像部２０８に対応して発色情報が付与されない非発色領域と、で構成される。即ち、領域４０２の第１発色情報付与領域４０６だけに「第１の色」で発色するように発色情報が付与される。
【００５２】
これに対して、ずれ量を検出する場合の発色情報付与露光では、第１画像部２０６及び非画像部２０８の両方に対応して、第１パターン２０２に対応した領域４０２の全体に「第１の色」で発色するように発色情報が付与される。即ち、領域４０２は「第１の色」で発色するように発色情報が付与される第１発色情報付与領域４０８と一致する。
【００５３】
図４（Ｂ）に示すように、現像トナー像３００の第１パターン２０２に対応した領域３０２において、トナーが付着しているのは第１画像部２０６に対応したトナー像領域３０６だけである。ここで、図４（Ｃ）に示すように、発色情報付与露光時に、露光パターン４００の第１パターン２０２に対応した領域４０２の全体に「第１の色」で発色するように発色情報を付与することで、トナー像領域３０６に形成された現像トナー像をより確実に発色させることができる。
【００５４】
図５は現像トナー像に対する露光ビームの切替え位置を示す図である。例えば、発色情報付与露光において、Ｙ、Ｍ、及びＣの３色の色情報に応じた波長の光（λｙ光、λｍ光、λｃ光）を、感光体の同じ位置に同時に照射して走査露光を行う場合には、図５に示すように、ビーム４１４が感光体上を矢印で示した方向（主走査方向）に移動して、発色情報が付与される。感光体上には、図４（Ｂ）に示す現像トナー像３００が既に形成されている。
【００５５】
ビーム４１４がｎライン目を主走査方向に走査するとき、第１パターン２０２に対応した領域３０２では、トナーが付着したトナー像領域３０６か、トナーが付着していないトナー不在領域３０８かに拘らず、「第１の色」で発色するように発色情報を付与する。そして、領域３０２と領域３０４との境界４１６で発色情報を切り替え、背景画像部２１２に対応してトナーが付着したトナー像領域３１２に対しては、「第３の色」で発色するように発色情報を付与する。
【００５６】
（ｎ＋１）ライン目の走査では、第１パターン２０２に対応した領域３０２では、ｎライン目と同様に「第１の色」で発色するように発色情報を付与する。そして、領域３０２と領域３０４との境界４１６で発色情報を切り替え、第２画像部２１０に対応してトナーが付着したトナー像領域３１０に対しては「第２の色」で発色するように発色情報を付与し、背景画像部２１２に対応してトナーが付着したトナー像領域３１２に対しては「第３の色」で発色するように発色情報を付与する。（ｎ＋２）ライン目と（ｎ＋３）ライン目も、（ｎ＋１）ライン目と同様にして走査する。
【００５７】
（ｎ＋４）ライン目は、ｎライン目と同様にして走査する。即ち、第１パターン２０２に対応した領域３０２では、「第１の色」で発色するように発色情報を付与する。そして、領域３０２と領域３０４との境界４１６で発色情報を切り替え、背景画像部２１２に対応してトナーが付着したトナー像領域３１２に対しては、「第３の色」で発色するように発色情報を付与する。
【００５８】
ずれ量を検出する場合の発色情報付与露光において、通常の発色情報付与露光とは異なるパターンで露光を行うには、後述する発色情報付与装置に入力されるＹＭＣ書き込みデータを修正すればよい。ＹＭＣ書き込みデータの修正は、後述する画像処理部で行うこともできるし、発色情報付与装置を制御する発色情報付与制御部で行うこともできる。
【００５９】
図６（Ａ）は色ずれの発生方向を示す図であり、図６（Ｂ）はずれ量の計測方法を示す図である。図６（Ａ）に示すように、静電潜像を形成するための露光領域１０８の位置に対して、発色情報付与のための露光領域１１４の位置が、矢印Ａ方向に所定量だけずれた場合について、ずれ量の計測方法を説明する。
【００６０】
図６（Ａ）に示すように、静電潜像の形成時に、感光体の露光領域１０８が露光されて静電潜像が形成される。この静電潜像は感光性トナーで現像されて、パターン画像２００に応じた現像トナー像３００が形成される。ずれ量を検出する場合には、次の発色情報付与露光時に、感光体の露光領域１１４が露光パターン４００で露光されて、露光領域１１４内に形成された現像トナー像３００に発色情報が付与される。
【００６１】
現像トナー像３００は、第１画像部２０６に対応してトナーが付着したトナー像領域３０６、非画像部２０８に対応してトナーが付着していないトナー不在領域３０８、第２画像部２１０に対応してトナーが付着したトナー像領域３１０、及び背景画像部２１２に対応してトナーが付着したトナー像領域３１２で構成されている。
【００６２】
一方、露光パターン４００は、第１画像部２０６及び非画像部２０８に対応して「第１の色」で発色するように発色情報が付与される第１発色情報付与領域４０８、第２画像部２１０に対応して「第２の色」で発色するように発色情報が付与される第２発色情報付与領域４１０、及び背景画像部２１２に対応して「第３の色」で発色するように発色情報が付与される第３発色情報付与領域４１２と、で構成されている。
【００６３】
トナーが付着した領域であるトナー像領域３０６、トナー像領域３１０、及びトナー像領域３１２（以下、「トナー像領域」と総称する。）の内、露光パターン４００の第１発色情報付与領域４０８と重なる領域にある感光性トナーには、「第１の色」で発色するように発色情報が付与される。同様に、前記トナー像領域の内、第２発色情報付与領域４１０と重なる領域にある感光性トナーには、「第２の色」で発色するように発色情報が付与される。また、前記トナー像領域の内、第３発色情報付与領域４１２と重なる領域にある感光性トナーには、「第３の色」で発色するように発色情報が付与される。
【００６４】
発色情報が付与されたトナー像３００は、記録媒体１００上の画像形成領域１０２に転写される。転写されたトナー像３００は、記録媒体１００に定着される。定着時の加熱により、トナー像３００が付与された発色情報に応じて発色する。これにより、記録媒体１００上の画像形成領域１０２内に、発色トナー像５００が形成される。
【００６５】
図６（Ａ）に示すように、静電潜像を形成するための露光領域１０８の位置に対して、発色情報付与のための露光領域１１４の位置が、矢印Ａ方向にずれた結果、記録媒体１００上の画像形成領域１０２内には、図６（Ｂ）に示す発色トナー像５００が形成される。なお、図６（Ｂ）では、潜像形成露光、転写、及び定着による位置ずれは発生しておらず、感光体上の露光領域１０８と画像形成領域１０２とは一致しているものとして説明する。
【００６６】
発色トナー像５００の構成を、現像トナー像３００の構成に応じて説明する。発色トナー像５００は、現像トナー像３００の領域３０２（トナー像領域３０６及びトナー不在領域３０８）に対応した領域５０２と、現像トナー像３００の領域３０４（トナー像領域３１０とトナー像領域３１２）に対応した領域５０４と、で構成されている。
【００６７】
トナー像領域３０６の感光性トナーには、「第１の色」で発色するように発色情報が付与される。トナー不在領域３０８には、感光性トナーが付着していない。従って、領域５０２には、トナー像領域３０６に対応して「第１の色」に発色した第１発色トナー像５０６と、白色画像５０８とが形成される。
【００６８】
一方、領域３０４には、感光性トナーに「第１の色」で発色するように発色情報が付与された部分と、感光性トナーに「第２の色」で発色するように発色情報が付与された部分と、感光性トナーに「第３の色」で発色するように発色情報が付与された部分と、感光性トナーに発色情報が付与されていない部分と、が混在する。
【００６９】
従って、領域５０４には、第２発色情報付与領域４１０に対応して「第２の色」に発色した第２発色トナー像５１０と、第３発色情報付与領域４１２に対応して「第３の色」に発色した第３発色トナー像５１２Ａと、が形成されるのに加えて、第１発色情報付与領域４０８に対応して「第１の色」に発色した第１発色トナー像５１２Ｂと、白色画像５１２Ｃとが形成される。
【００７０】
第１発色トナー像５０６は、パターン画像２００の第１画像部２０６を再現したものである。第１画像部２０６の第１の主基準直線２０６Ｍに対応した第１の主基準直線５０６Ｍと、第１の副基準直線２０６Ｓに対応した第１の副基準直線５０６Ｓとを読み取ることができる。この第１発色トナー像５０６は、トナー像領域３０６の位置、即ち、第１画像部２０６に対応して静電潜像が形成された位置を示している。
【００７１】
また、第２発色トナー像５１０は、パターン画像２００の第２画像部２１０を再現したものである。第２画像部２１０の第２の主基準直線２１０Ｍに対応した第１の主基準直線５１０Ｍと、第２の副基準直線２１０Ｓに対応した第１の副基準直線５１０Ｓとを読み取ることができる。この第２発色トナー像５１０は、第２発色情報付与領域４１０の位置、即ち、第２画像部２１０に対応して発色情報が付与された位置を示している。
【００７２】
第１の主基準直線５０６Ｍを含む直線を、静電潜像を形成するための露光領域１０８の副走査方向の位置を特定する基準線Ｌ１とする。また、第２の主基準直線５１０Ｍを含む直線を、発色情報を付与するための露光領域１１４の副走査方向の位置を特定する基準線Ｌ３とする。これら基準線Ｌ１と基準線Ｌ３との間隔「ｙ」が、露光領域１０８に対する露光領域１１４の副走査方向の相対的なずれ量である。
【００７３】
第１の副基準直線５０６Ｓを含む直線を、静電潜像を形成するための露光領域１０８の主走査方向の位置を特定する基準線Ｌ３とする。また、第２の副基準直線５１０Ｓを含む直線を、発色情報を付与するための露光領域１１４の主走査方向の位置を特定する基準線Ｌ４とする。これら基準線Ｌ３と基準線Ｌ４との間隔「ｘ」が、露光領域１０８に対する露光領域１１４の主走査方向の相対的なずれ量である。
【００７４】
図７（Ａ）は色ずれの発生方向を示す図であり、図７（Ｂ）はずれ量の計測方法を示す図である。図７（Ａ）に示すように、露光領域１０８に対して露光領域１１４が、矢印Ａ方向とは逆の「矢印Ｂ方向」にずれた場合には、記録媒体１００上の画像形成領域１０２内には、図７（Ｂ）に示す発色トナー像６００が形成される。
【００７５】
発色トナー像６００の構成を、現像トナー像３００の構成に応じて説明する。発色トナー像６００は、現像トナー像３００の領域３０２（トナー像領域３０６及びトナー不在領域３０８）に対応した領域６０２と、現像トナー像３００の領域３０４（トナー像領域３１０とトナー像領域３１２）に対応した領域６０４と、で構成されている。
【００７６】
領域３０２のトナー像領域３０６には、感光性トナーに「第１の色」で発色するように発色情報が付与された部分と、感光性トナーに「第３の色」で発色するように発色情報が付与された部分と、が混在する。トナー不在領域３０８には、感光性トナーが付着していない。従って、領域６０２には、第１発色情報付与領域４０８に対応して「第１の色」に発色した第１発色トナー像６０６Ａと、第３発色情報付与領域４１２に対応して「第３の色」に発色した第３発色トナー像６０６Ｂと、白色画像６０８とが形成される。
【００７７】
一方、領域６０４には、感光性トナーに「第２の色」で発色するように発色情報が付与された部分と、感光性トナーに「第３の色」で発色するように発色情報が付与された部分と、感光性トナーに発色情報が付与されていない部分と、が混在する。従って、領域６０４には、第２発色情報付与領域４１０に対応して「第２の色」に発色した第２発色トナー像６１０と、第３発色情報付与領域４１２に対応して「第３の色」に発色した第３発色トナー像６１２Ａと、白色画像６１２Ｂとが形成される。
【００７８】
第１発色トナー像６０６Ａ及び第３発色トナー像６０６Ｂは、パターン画像２００の第１画像部２０６を再現したものである。第１画像部２０６の第１の主基準直線２０６Ｍに対応した第１の主基準直線６０６Ｍと、第１の副基準直線２０６Ｓに対応した第１の副基準直線６０６Ｓとを読み取ることができる。また、第２発色トナー像６１０は、パターン画像２００の第２画像部２１０を再現したものである。第２画像部２１０の一部は欠けているが、第２画像部２１０の第２の主基準直線２１０Ｍに対応した第１の主基準直線６１０Ｍを読み取ることができる。
【００７９】
第１の主基準直線６０６Ｍを含む直線を、静電潜像を形成するための露光領域１０８の副走査方向の位置を特定する基準線Ｌ５とする。また、第２の主基準直線６１０Ｍを含む直線を、発色情報を付与するための露光領域１１４の副走査方向の位置を特定する基準線Ｌ６とする。これら基準線Ｌ５と基準線Ｌ６との間隔「ｙ」が、露光領域１０８に対する露光領域１１４の副走査方向の相対的なずれ量である。
【００８０】
第１発色トナー像６０６Ａと第３発色トナー像６０６Ｂとの境界線を、静電潜像を形成するための露光領域１０８の主走査方向の位置を特定する基準線Ｌ７とする。また、第２の副基準直線６１０Ｓを含む直線を、発色情報を付与するための露光領域１１４の主走査方向の位置を特定する基準線Ｌ８とする。これら基準線Ｌ７と基準線Ｌ８との間隔「ｘ」が、露光領域１０８に対する露光領域１１４の主走査方向の相対的なずれ量である。
【００８１】
以上説明したように、図３（Ｄ）のパターン画像２００に基づいて上記のずれ量を検出する手順に従って記録媒体１００上に形成した画像（図６（Ｂ）、図７（Ｂ））から、露光領域１０８に対する露光領域１１４の相対的な「ずれ量」を計測することができる。
【００８２】
＜テストチャート＞
図８（Ａ）及び（Ｂ）は、テストチャートにおける、図３（Ｄ）に示すパターン画像２００の配置例を示す図である。図８（Ａ）に示すテストチャート７００Ａでは、記録媒体１００上の画像形成領域（図示せず）内に、６個のパターン画像２００が３行×２列のマトリクス状に配置されている。図４（Ａ）では１個のパターン画像２００が形成されたテストチャートを示したが、図８（Ａ）に示すように、複数のパターン画像２００を配置して、複数の位置での主走査方向及び副走査方向のずれ量を計測することで、各々の位置で計測したずれ量から、走査ラインの傾き（スキュー）、湾曲（ボウ）、倍率変動等も更に求めることができる。
【００８３】
また、図８（Ｂ）に示すテストチャート７００Ｂでは、６個のパターン画像２００が３行×２列のマトリクス状に配置されている点は、図８（Ａ）に示すテストチャートと同じであるが、２列目の３個のパターン画像２００は９０度回転させて配置されている。図７（Ｂ）で説明したように、露光領域１０８に対する露光領域１１４の位置ずれの方向によっては、形成された画像から副基準直線を直接に読み取れない場合がある。このような場合には、主走査方向のずれ量を計測することが難しい。従って、１列目のパターン画像２００から副走査方向のずれ量を計測し、９０度回転させて配置した２列目のパターン画像２００から主走査方向のずれ量を計測してもよい。
【００８４】
なお、図８（Ａ）及び（Ｂ）では、記録媒体１００上に６個のパターン画像２００が３行×２列のマトリクス状に配置されている例を示したが、パターン画像２００の個数や配置はこれには制限されない。主走査方向のずれ量、副走査方向のずれ量、走査ラインの傾き（スキュー）、湾曲（ボウ）、倍率変動等、求めたい「ずれ量」に応じて、適宜レイアウトすることができる。
【００８５】
＜目視に適した色ずれ補正用のパターン画像＞
図９（Ａ）は目視による色ずれ補正に適したパターン画像の一例を示す図である。また、図９（Ｂ）及び図９（Ｃ）は色ずれ補正が必要か否かの判定基準を示す図である。図９（Ａ）に示すパターン画像２２０に基づいて、上記のずれ量を検出する手順に従って記録媒体１００上に画像を形成する。そして、形成された画像（図９（Ｂ）、図９（Ｂ））から、静電潜像を形成するための露光領域の位置と、発色情報付与のための露光領域の位置との間の相対的な「ずれ量」が、許容範囲内か否かを目視で判定する。
【００８６】
図９（Ａ）に示すように、パターン画像２２０は、第１パターン２２２と、該第１パターン２２２と隣り合うように配置された第２パターン２２４と、で構成されている。第１パターン２２２及び第２パターン２２４の各々は、外周形状が矩形状のパターンであり、主走査方向と平行な２辺と副走査方向に平行な２辺とを有している。第１パターン２２２と第２パターン２２４とは、所定間隔ｄで互いに離間されて配置されている。
【００８７】
第１パターン２２２は、「第１の色」で画像が形成される第１画像部２２６と、画像が形成されない非画像部２２８とで構成されている。非画像部２２８は、第１画像部２２６の周囲に配置されている。第１画像部２２６は、主走査方向を長手方向とする矩形状のラインマークである。また、第１画像部２２６は、その一方のライン端部が、第２パターン２２４側の第１パターン２２２の副走査方向に平行な１辺と重なるように配置されている。
【００８８】
第２パターン２２４は、「第２の色」で画像が形成される２個の第２画像部２３０Ａ、２３０Ｂと、「第３の色」で背景画像が形成される背景画像部２３２とで構成されている。背景画像部２３２は、第２画像部２３０Ａ、２３０Ｂの周囲に配置されている。第２画像部２３０Ａ、２３０Ｂの各々は、主走査方向を長手方向とする矩形状のラインマークである。第２画像部２３０Ａと２３０Ｂとは、所定間隔ｃで互いに離間されて平行に配置されている。また、第２画像部２３０Ａ、２３０Ｂの各々は、その一方のライン端部が、第１パターン２２２側の第２パターン２２４の副走査方向に平行な１辺と重なるように配置されている。
【００８９】
第２画像部２３０Ｂ側の第２画像部２３０Ａの主走査方向に平行な１辺を含む直線を、副走査方向の位置を特定する第１の基準線Ｌ９とする。第２画像部２３０Ａ側の第２画像部２３０Ｂの主走査方向に平行な１辺を含む直線を、副走査方向の位置を特定する第２の基準線Ｌ１０とする。これら第１の基準線Ｌ９と第２の基準線Ｌ１０との間隔が、所定間隔ｃである。第１画像部２２６は、その幅方向の中心線が、第１の基準線Ｌ９と第２の基準線Ｌ１０との間に位置するように配置されている。
【００９０】
第１画像部２２６の「第１の色」は、白色の非画像部２２８から第１画像部２２６を、目視で識別することが可能な色であればよい。また、第２画像部２３０Ａ、２３０Ｂの「第２の色」は、「第１の色」の第１画像部２２６と「第２の色」の第２画像部２３０Ａ、２３０Ｂとを、目視で識別することが可能な色であればよい。更に、背景画像部２３２の「第３の色」は、「第３の色」の背景画像部２３２から「第２の色」の第２画像部２３０Ａ、２３０Ｂを、目視で識別することが可能な色であればよい。
【００９１】
図９（Ｂ）及び図９（Ｃ）は、図９（Ａ）に示すパターン画像２２０に基づいて記録媒体上に形成された発色トナー像５２０を表している。
【００９２】
発色トナー像５２０は、パターン画像２２０の第１パターン２２２に対応した領域５２２と、第２パターン２２４に対応した領域５２４と、で構成されている。領域５２２には、第１パターン２２２の第１画像部２２６に対応して「第１の色」に発色した第１発色トナー像５２６と、白色画像５２８とが形成される。領域５２４には、第２パターン２２４の第２画像部２３０Ａ、２３０Ｂに対応して「第２の色」に発色した第２発色トナー像５３０Ａ、５３０Ｂと、第２パターン２２４の背景画像部２３２に対応して「第３の色」に発色した第３発色トナー像５３２Ａと、白色画像５３２Ｂと、が形成される。
【００９３】
第１発色トナー像５２６は、パターン画像２２０の第１画像部２２６を再現したものであり、第２発色トナー像５３０Ａ、５３０Ｂは、パターン画像２２０の第２画像部２３０Ａ、２３０Ｂを再現したものである。第２発色トナー像５３０Ｂ側の第２発色トナー像５３０Ａの主走査方向に平行な１辺を含む直線を、副走査方向の位置を特定する第１の基準線Ｌ11とする。第２発色トナー像５３０Ａ側の第２発色トナー像５３０Ｂの主走査方向に平行な１辺を含む直線を、副走査方向の位置を特定する第２の基準線Ｌ１2とする。
【００９４】
図９（Ｂ）に示すように、第１発色トナー像５２６が、第１の基準線Ｌ11と第２の基準線Ｌ１2との間に位置する場合には、静電潜像を形成するための露光領域の位置と、発色情報付与のための露光領域の位置との間の相対的な「ずれ量」が、許容範囲内（ＯＫ）であると目視で判定することができる。一方、図９（Ｃ）に示すように、第１発色トナー像５２６が、第１の基準線Ｌ11と第２の基準線Ｌ１2との間に位置していない場合には、「ずれ量」が許容範囲を超えた（ＮＧ）と目視で判定することができる。
【００９５】
例えば、６００ドット／インチの解像度で画像を形成する場合には、第１パターン２２２及び第２パターン２２４の各々を、３００ビット四方の大きさとし、第１画像部２０６及び第２画像部２１０の各々を、幅６ビット、長さ１２０ビットの大きさの矩形状のラインマークとする。そして、第１の基準線Ｌ１１と第２の基準線Ｌ１２との間隔ｃを、（６ビット＋ずれ許容量）とすることで、「ずれ量」が許容範囲内か否かを目視で判定することができる。
【００９６】
６００ドット／インチの解像度で画像を形成する場合には、ずれ許容量は２００μｍ以下とすることが好ましい。例えば、間隔ｃを（６ビット＋１５０μｍ）に設定することができる。また、間隔ｄは、記録媒体上に形成された発色トナー像５２０において、第１発色トナー像５２６と、第２発色トナー像５３０Ａ、５３０Ｂとを比較して、第１の基準線Ｌ11と第２の基準線Ｌ１2との間に位置しているか否かを判定するのに、１ｍｍ以下とすることが好ましい。例えば、間隔ｄを０．５ｍｍとすることができる。
【００９７】
図１０（Ａ）は目視による色ずれ補正に適したパターン画像の他の一例を示す図である。また、図１０（Ｂ）及び図１０（Ｃ）は「ずれ量」の判定基準を示す図である。図１０（Ａ）に示すパターン画像２４０に基づいて、上記のずれ量を検出する手順に従って記録媒体１００上に画像を形成する。そして、形成された画像（図１０（Ｂ）、図１０（Ｂ））から、ノギスのバーニアの原理を応用して、静電潜像を形成するための露光領域の位置と、発色情報付与のための露光領域の位置との間の相対的な「ずれ量」がどの程度かを目視で判定する。静電潜像露光と発色情報付与露光とで解像度が異なる場合に、特に有効である。
【００９８】
図１０（Ａ）に示すように、パターン画像２４０は、第１パターン２４２と、該第１パターン２４２と隣り合うように配置された第２パターン２４４と、で構成されている。第１パターン２４２及び第２パターン２４４の各々は、外周形状が矩形状のパターンであり、主走査方向と平行な２辺と副走査方向に平行な２辺とを有している。第１パターン２４２と第２パターン２４４とは、所定間隔で互いに離間されて配置されている。
【００９９】
第１パターン２４２は、「第１の色」で画像が形成される５個の第１画像部２４６Ａ、２４６Ｂ、２４６Ｃ、２４６Ｄ、２４６Ｅと、画像が形成されない非画像部２４８とで構成されている。なお、５個の第１画像部２４６Ａ、２４６Ｂ、２４６Ｃ、２４６Ｄ、２４６Ｅを区別する必要がない場合には、第１画像部２４６と総称する。非画像部２４８は、第１画像部２４６の周囲に配置されている。第１画像部２４６Ａ、２４６Ｂ、２４６Ｃ、２４６Ｄ、２４６Ｅの各々は、主走査方向を長手方向とする矩形状のラインマークである。
【０１００】
第１画像部２４６Ａ、２４６Ｂ、２４６Ｃ、２４６Ｄ、２４６Ｅの各々は、隣接する２本のその幅方向の中心線の間隔が所定間隔ａとなるように、互いに離間されて平行に配置されている。また、第１画像部２４６Ａ、２４６Ｂ、２４６Ｃ、２４６Ｄ、２４６Ｅの各々は、その一方のライン端部が、第２パターン２４４側の第１パターン２４２の副走査方向に平行な１辺と重なるように配置されている。
【０１０１】
第２パターン２４４は、「第２の色」で画像が形成される５個の第２画像部２５０Ａ、２５０Ｂ、２５０Ｃ、２５０Ｄ、２５０Ｅと、「第３の色」で背景画像が形成される背景画像部２５２とで構成されている。なお、５個の第２画像部２５０Ａ、２５０Ｂ、２５０Ｃ、２５０Ｄ、２５０Ｅを区別する必要がない場合には、第２画像部２５０と総称する。背景画像部２５２は、第２画像部２５０Ａ、２５０Ｂ、２５０Ｃ、２５０Ｄ、２５０Ｅの周囲に配置されている。第２画像部２５０Ａ、２５０Ｂ、２５０Ｃ、２５０Ｄ、２５０Ｅの各々は、主走査方向を長手方向とする矩形状のラインマークである。
【０１０２】
第２画像部２５０Ａ、２５０Ｂ、２５０Ｃ、２５０Ｄ、２５０Ｅの各々は、隣接する２本の幅方向の中心線の間隔が、間隔ａより狭い所定間隔ｂとなるように、互いに離間されて平行に配置されている。また、第２画像部２５０Ａ、２５０Ｂ、２５０Ｃ、２５０Ｄ、２５０Ｅの各々は、その一方のライン端部が、第１パターン２４２側の第２パターン２４４の副走査方向に平行な１辺と重なるように配置されている。
【０１０３】
また、第１画像部２４６Ａ、２４６Ｂ、２４６Ｃ、２４６Ｄ、２４６Ｅの各々の近くには、「ずれ量」を識別するための数値が併記されている。この例では、第１画像部２４６Ａ、２４６Ｂ、２４６Ｃ、２４６Ｄ、２４６Ｅの各々の左側に、順に「−２」、「−１」、「０」、「＋１」、「＋２」の数値が、目盛りとして併記されている。数値は、間隔ａと間隔ｂとの差（ａ−ｂ）を１単位として、副走査方向に何単位ずれているかを表している。第１画像部２４６Ｃの幅方向の中心線と、第２画像部２５０Ｃの幅方向の中心線とが一致している場合の「ずれ量」を「０」としている。また、静電潜像を形成するための露光領域１０８の位置に対して、発色情報付与のための露光領域１１４の位置が、副走査方向側にずれている場合を「正」として表示している。
【０１０４】
第１画像部２４６の「第１の色」は、白色の非画像部２４８から第１画像部２４６を、目視で識別することが可能な色であればよい。また、第２画像部２５０の「第２の色」は、「第１の色」の第１画像部２４６と「第２の色」の第２画像部２５０とを、目視で識別することが可能な色であればよい。更に、背景画像部２５２の「第３の色」は、「第３の色」の背景画像部２５２から「第２の色」の第２画像部２５０を、目視で識別することが可能な色であればよい。
【０１０５】
図１０（Ｂ）及び図１０（Ｃ）は、図９（Ａ）に示すパターン画像２４０に基づいて記録媒体上に形成された発色トナー像５４０を表している。この例では、副走査方向にしか「ずれ」が生じていないものとして説明する。
【０１０６】
発色トナー像５４０は、パターン画像２４０の第１パターン２４２に対応した領域５４２と、第２パターン２４４に対応した領域５４４と、で構成されている。領域５４２には、第１パターン２４２の第１画像部２４６Ａ、２４６Ｂ、２４６Ｃ、２４６Ｄ、２４６Ｅの各々に対応して「第１の色」に発色した第１発色トナー像５４６Ａ、５４６Ｂ、５４６Ｃ、５４６Ｄ、５４６Ｅと、白色画像５４８とが形成される。領域５４４には、第２パターン２４４の第２画像部２５０Ａ、２５０Ｂ、２５０Ｃ、２５０Ｄ、２５０Ｅの各々に対応して「第２の色」に発色した第２発色トナー像５５０Ａ、５５０Ｂ、５５０Ｃ、５５０Ｄ、５５０Ｅと、第２パターン２４４の背景画像部２５２に対応して「第３の色」に発色した第３発色トナー像５５２Ａと、白色画像５５２Ｂと、が形成される。
【０１０７】
第１発色トナー像５４６Ａ、５４６Ｂ、５４６Ｃ、５４６Ｄ、５４６Ｅの各々は、パターン画像２４０の第１画像部２４６Ａ、２４６Ｂ、２４６Ｃ、２４６Ｄ、２４６Ｅの各々を再現したものである。また、第２発色トナー像５５０Ａ、５５０Ｂ、５５０Ｃ、５５０Ｄ、５５０Ｅの各々は、パターン画像２４０の第２画像部２５０Ａ、２５０Ｂ、２５０Ｃ、２５０Ｄ、２５０Ｅの各々を再現したものである。
【０１０８】
図１０（Ｂ）に示すように、第１発色トナー像５４６Ｂの幅方向の中心線と、第２発色トナー像５５０Ｂの幅方向の中心線とが一致している場合には、静電潜像を形成するための露光領域１０８の位置に対して、発色情報付与のための露光領域１１４の位置が、副走査方向とは逆側に１単位ずれている。この場合は、併記された目盛りから「ずれ量」は「−１」と目視で判断することができる。
【０１０９】
また、図１０（Ｃ）に示すように、第１発色トナー像５４６Ａの幅方向の中心線と、第２発色トナー像５５０Ａの幅方向の中心線とが一致している場合には、静電潜像を形成するための露光領域１０８の位置に対して、発色情報付与のための露光領域１１４の位置が、副走査方向とは逆側に２単位ずれている。この場合は、併記された目盛りから「ずれ量」は「−２」と目視で判断することができる。
【０１１０】
例えば、６００ドット／インチの解像度で画像を形成する場合には、第１パターン２４２及び第２パターン２４４の各々を、縦３０ｍｍ×横１５ｍｍの大きさとし、第１画像部２４６及び第２画像部２５０の各々を、縦１２ビット×横２５６ビットの大きさの矩形状のラインマークとする。そして、第１画像部２４６の間隔ａは１１８ビット、第２画像部２５０の間隔ｂを１１４ビットとし、「ずれ量」の１単位を４ビットとする。ここでは、縦方向（幅方向）は副走査方向とし、横方向は主走査方向とする。パターン画像２４０を９０度回転させて配置する場合には、縦方向（幅方向）が主走査方向となり、横方向が副走査方向となる。
【０１１１】
＜画像形成装置＞
図１１は本発明の画像形成装置の構成の一例を示す概略図である。この画像形成装置は、通常の電子写真プロセスに用いる感光体（像担持体）１０を備えている。感光体１０の周りには、帯電装置１２、露光装置１４、現像装置１６、発色情報付与装置２８、転写装置１８、及びクリーナ２０が、感光体１０の回転方向に沿ってこの順に設けられている。転写装置１８の下流側には、定着装置２２が設けられている。定着装置２２はトナー像を発色させる発色装置を兼ねている。また、定着装置２２の下流側にはトナーの発色を固定化するために記録媒体１００への光照射を行う発色固定装置２４が設けられている。更に、発色固定装置２４の下流側には、ＣＣＤ等の色ずれ検出部３６が設けられている。
【０１１２】
上記の画像形成装置では、各装置が以下のように動作して画像を形成する。帯電装置１２は、感光体１０の表面を一様に帯電させる。露光装置１４は、帯電装置１２によって帯電された感光体１０上を露光して静電潜像を形成する。現像装置１６は、感光体１０上の静電潜像を上記トナーによって現像して静電潜像に応じたトナー像を形成する。発色情報付与装置２８は、特定波長領域の光をトナー像に照射して発色情報を付与する。
【０１１３】
この発色情報の付与としての、トナー像を構成するトナーへの特定波長領域の光の照射では、トナー像を複数の領域に分割した各領域（例えば、各画素に対応する領域）に存在するトナーに対して行われ、該各領域のトナーが発色情報を付与された後に加熱されたときに、形成対象の画像の対応する領域（各画素）の色に発色するように、各領域に応じて特定波長の光を照射する。
【０１１４】
転写装置１８は、感光体１０上のトナー像Ｔを記録媒体１００に転写する。定着装置２２は、記録媒体１００上にトナー像を定着させると共に、トナーに熱を加えて発色させる。発色固定装置２４は、記録媒体１００に光を照射して、記録媒体１００上のトナーの発色を固定化する。色ずれ検出部３６は、記録媒体１００上に形成された画像を読み取る。なお、クリーナ２０は、転写後の感光体１０上の残留トナーや紙粉等の異物を感光体１０表面から除去する。
【０１１５】
また、上記の画像形成装置には、露光装置１４、発色情報付与装置２８など、画像形成装置の各装置の動作を制御するコントロールユニット３０を備えている。色ずれ検出部３６で検出されたデータもコントロールユニット３０に入力される。更に、上記の画像形成装置には、ユーザに各種の情報を表示し、ユーザが各種の情報を入力するための表示入力部３２と、外部から画像データや画像形成指示情報を取得する情報取得部３４と、が設けられている。表示入力部３２としては、例えば、タッチパネル等が挙げられる。情報取得部３４としては、例えば、パラレルポート、シリアルポート、有線または無線によりネットワークに接続可能なネットワークポート等がある。
【０１１６】
なお、図１１に示す画像形成装置では、現像装置１６、転写装置１８との間に発色情報付与装置２８を設けているが、転写装置１８と定着装置２２との間に発色情報付与装置２８を設けることもできる。この場合には、記録媒体１００に転写されたトナー像に、特定波長領域の光を照射して発色情報を付与する。
【０１１７】
また、発色情報付与装置２８を感光体１０の内部に配置して、発色情報付与のための露光を、感光体１０の内側から行うこともできる。発色情報付与装置２８を感光体１０の内部に配置することで、装置全体をよりコンパクト化できる。いわゆる背面露光である。
【０１１８】
また、図１１に示す画像形成装置では、いわゆる電子写真プロセスで現像トナー像を形成する例について説明しているが、現像トナー像の形成方法はこれに制限されない。電子写真プロセスの外に、誘電体上にイオンなどで静電潜像を形成するプロセス（イオノグラフィ）、液体現像、インクジェット、印刷など、いかなる方法で現像トナー像を形成してもよい。
【０１１９】
以下、画像形成装置の主要装置の構成を詳細に説明する。
【０１２０】
（感光体）
最初に背面露光で使用される感光体（透明感光体）について説明する。
感光体１０は、導電性基材の上に、単層又は多層の感光層が形成されたものである。また、感光体１０としては、発色情報付与装置２８からの露光光に対し、実質的に透明であれば公知のいかなるものも用いることができる。
【０１２１】
導電性基材としては、例えばドラム状、シート状、プレート状等の形状を有するガラス、ＰＥＴなどの基材上にＩＴＯをスパッタしたもの、ＩＴＯ微粉末をバインダーに分散させ塗布したもの、導電性高分子を塗布したものなどの透明導電層を形成したものが挙げられる。
【０１２２】
前記感光層としては、Ｓｅ、ａ−Ｓｉ等の無機感光層、又は有機感光層を設けることができる。また、多層の感光層を形成する場合には、感光層の層構成としては、組成の異なる複数の層を含有する層構成が好ましい。例えば、電荷発生層、電荷輸送層、保護層といった積層構造にすると、それぞれの層がそれぞれの機能を満たせば良いという機能分離ができるため、より高い機能を実現できる。
【０１２３】
また、入射した発色情報付与光の散乱をより起こさせ、感光性トナーに十分な情報光を付与するために、金属酸化物やフッ素樹脂粒子等の有機粒子などの粒径が数十ナノメーターから数ミクロンのものを感光層に分散させることが好ましい。ただし、前記のように感光層を光が通過しトナーまでも露光することが必要とされるので、光透過性のよいものがよい。透過性の目安としては、感光層そのもので透過率が５０％以上であることが好ましく、７０％以上であることがより好ましい。
【０１２４】
背面露光でないケースで使用される感光体１０は、導電性基材が非透明の金属等の部材であればよい。感光層の構成は上記の透明感光体と同様である。
【０１２５】
また、感光体１０には、発色情報付与装置２８によって発色情報を付与するための光が照射されるが、発色情報を付与するための露光は、通常の潜像形成のための露光よりかなり強い強度で行われる。具体的には、発色情報付与に供する光のエネルギー量は、通常の電子写真プロセスに使用される感光体への光量（２ｍＪ／ｍ２）の約１０００倍程度必要である。このため、発色情報の付与による感光体１０へのダメージが心配されるが、例えば、感光体１０の電荷発生層の光感度を従来の１／１０００とすれば、バランスが取れるので問題とはならない。
【０１２６】
なお、感光層の厚みは、前記透過性（透明感光体の場合）と、経時による膜減りと、を勘案した帯電電位に耐えられる絶縁性から決められ、おおよそ５μｍ以上５０μｍ以下の範囲が好ましい。
【０１２７】
また、感光体１０がベルト状である場合には、透明基体としてＰＥＴ、ＰＣ等の透明樹脂が使用でき、透明基材を必要としないときは、ニッケル等の金属やポリイミドアミド等の樹脂が使用でき、その厚みはベルト状感光体を張架するロールの径、張力等の設計事項から決められ、おおよそ１０μｍ以上５００μｍ以下程度の範囲である。その他の層構成等はドラムの場合と同様である。
【０１２８】
更に、感光体１０の表面には、次工程における発色情報付与のための露光による感光体１０の劣化を防止する機能を持たせることが好ましい。具体的には、感光層の表面に潜像形成のための露光光のみ透過し、発色情報付与のための露光光を反射する若しくは吸収する表面層を設けることが有効である。該表面層としては、ダイクロイックミラーコート（反射）、光吸収物質を分散したシャープカットフィルター（吸収）などを挙げることができる。
【０１２９】
一方、イオノグラフィによりトナー像を形成する場合は、感光体１０の代わりに誘電体をもちいる。誘電体層としては、ＰＥＴ、ＰＣ等の透明プラスチックを用いたものを使用することができる。基材は上記の感光体１０と同様である。
【０１３０】
（帯電装置）
帯電装置１２は、感光体１０の表面を一様に帯電させる。帯電装置１２としては公知の帯電手段が使用できる。接触方式である場合は、ロール、ブラシ、磁気ブラシ、ブレード等が使用でき、非接触の場合は、コロトロン、スコロトロン等が使用できる。帯電手段としてはこれらに限られるものではない。
【０１３１】
これらの中でも、帯電補償能力に優れ、オゾンの発生が少ない点で接触型帯電器が好ましく用いられる。接触帯電方式は、感光体表面に接触させた帯電部材に電圧を印加することにより感光体表面を帯電させるものである。帯電部材の形状はブラシ状、ブレード状、あるいはロール状等何れでもよいが、特にロール状部材が好ましい。通常、ロール状部材は外側から抵抗層とそれらを支持する弾性層と芯材から構成される。さらに必要に応じて、抵抗層の外側に保護層を設けることができる。
【０１３２】
これらの帯電部材を用いて感光体１０を帯電させる方法としては、帯電部材に電圧を印加するが、印加電圧は直流電圧、あるいは直流電圧に交流電圧を重畳したものが好ましい。電圧の範囲としては、直流のみで帯電させる場合は、絶対値で所望の表面電位＋５００Ｖ程度の正または負が好ましく、その値は、１００Ｖ〜１５００Ｖが好ましく、より好ましくは１００〜１０００Ｖである。
【０１３３】
交流電圧を重畳する場合は、その直流値はおおよそ所望の表面電位±５０Ｖ程度とし、交流のピーク間電圧（Ｖｐｐ）が４００〜１８００Ｖ、好ましくは８００〜１６００Ｖ、交流電圧の周波数は５０〜２００００Ｈｚ、好ましくは１００〜５０００Ｈｚであり、サイン波、方形波、三角波がいずれも使用可能である。また、帯電電位は、電位の絶対値で１５０〜１０００Ｖの範囲に設定することが好ましい。  
【０１３４】
（露光装置）
露光装置１４は、帯電装置１２によって帯電された感光体１０上を露光して静電潜像を形成する。静電潜像の形成には公知の露光装置１４が使用できる。露光装置１４としては、例えば、ＲＯＳ（Raster Output Scanner；ラスター出力走査装置）を用いたレーザスキャニングシステム、ＬＥＤイメージバーシステム、アナログ露光手段、さらにはイオン流制御ヘッド等などを用いることができる。図１１における矢印Ａのように、露光装置１４の光源（図示せず）から感光体１０表面に、ビームを照射して露光を行うことが可能である。これ以外にも今後開発される新規な露光手段が本発明の効果を達成する限り使用できる。
【０１３５】
露光装置１４で露光を行う場合の露光光の波長としては、感光体１０の分光感度領域にあるものが使用される。感光体１０の感光層としては、発色情報付与のための露光光の波長域に対して、ほとんど吸収のないものが用いられる。このため、静電潜像の形成のための露光には、感光体１０の吸収波長域に合わせた波長域の光が用いられる。例えば、感光体１０の吸収波長域を７００ｎｍ以上とすると、露光光として７８０ｎｍの半導体レーザを用いることが好ましい。
【０１３６】
感光体１０に対する露光は、反転現像の場合は後述するトナーを現像する位置に、正規現像の場合はトナーを現像する以外の位置に、前記４つの色の画像形成情報の論理和として行なわれる。露光スポット径は、解像度が６００ｄｐｉ〜１２００ｄｐｉの範囲となるように、４０μｍ〜８０μｍの範囲となるようにすることが好ましい。
【０１３７】
露光光量としては、感光体１０上の露光された領域の電位（露光後電位）が、帯電電位の５％以上３０％以下程度の範囲となるようにすることが好ましい。露光光量を調整することによって、感光体１０上へのトナーの現像量を調整することができ、トナー像の付着量を調整することができる。また、露光位置ごとの必要な付着量に応じて露光光量を変化させることによって、トナーの現像量を変化させることができる。
【０１３８】
一方、前記イオノグラフィの場合には、イオン書込みヘッドにより像担持体上に潜像を形成する（イオン書き込み工程）。イオン書込みヘッドとしては、例えば、イオン流を画像信号によりＯｎ／Ｏｆｆ制御するもの（特開平４−１２２６５４号公報）や、イオン流の発生そのものをＯｎ／Ｏｆｆ制御するもの（特開平６−９９６１０号公報）などを用いることができる。なお、この方式の場合、像担持体としては誘電体のみでなく感光体も使用することが可能である。
【０１３９】
（現像装置）
現像装置１６は、感光体１０上の静電潜像を感光性トナーによって現像して静電潜像に応じた現像トナー像を形成する。
【０１４０】
現像装置１６としては公知の現像手段が使用できる。現像法としては、キャリアと呼ばれるトナーを担持するための微小粒子とトナーからなる二成分現像法、またはトナーのみからなる一成分現像法、またこれらの現像法においてさらに現像その他の特性改善のために別の構成物質が添加される場合もある全ての現像方法が使用できる。
【０１４１】
また、現像方法によっては感光体１０へ現像剤が接触または非接触で現像を行なうもののいずれもが使用可能である。さらに、前記一成分現像法と二成分現像法とを組み合わせたハイブリッド現像方法も使用可能である。これ以外にも、今後開発される新規な現像手段が本発明の効果を達成する限り使用できる。
【０１４２】
なお、前記現像剤に含まれるトナーとしては、例えばＹ色に発色可能な発色部（Ｙ発色部）、Ｍ色に発色可能な発色部（Ｍ発色部）及びＣ色に発色可能な発色部（Ｃ発色部）を１つのトナー粒子中に含むものであってもよいし、前記Ｙ発色部、Ｍ発色部、Ｃ発色部を各々トナーごとに別々に含むものであってもよい。
【０１４３】
トナー現像量（感光体に付着させるトナー付着量）としては、形成する画像によっても異なるが、べた画像において３．５〜８．０ｇ／ｍ２の範囲とすることが好ましく、４．０〜６．０ｇ／ｍ２の範囲とすることがより好ましい。
【０１４４】
また、形成された現像トナー像において、後述する発色情報付与のための光が、当該照射された部分全体に行き渡らなければならないため、トナー層厚は一定以下に抑えることが好ましい。具体的には、例えばべた画像においてトナー層は３層以下であることが好ましく、２層以下であることがより好ましい。なお、上記トナー層厚は、実際の感光体１０表面に形成されたトナー層の厚さを測定し、これをトナーの個数平均粒径で除した値である。
【０１４５】
（発色情報付与装置）
発色情報付与装置２８は、特定波長領域の光を現像トナー像に照射して発色情報を付与する。発色情報付与装置２８としては、発色情報付与時に、発色させるトナー粒子が特定色に発色するための波長の光を所定の解像度と強度とで照射することができる露光手段であればよく、公知の露光手段を使用することもできる。
【０１４６】
発色情報付与装置２８は、画像データ中の色成分情報に基づいて、発色対象の色に対応して予め定められた波長の光を出射する光源を含んで構成されている。後述するように、本実施の形態では、発色情報付与装置２８は、イエロー発色部を発色させる発色情報を付与する光源７６Ｙと、マゼンタ発色部を発色させる発色情報を付与する光源７６Ｍと、シアン発色部を発色させる発色情報を付与する光源７６Ｃと、を含んで構成されている（図１２参照）。なお、光源７６Ｙ、光源７６Ｍ、及び光源７６Ｃを区別する必要がない場合には、光源７６と総称する。
【０１４７】
光源７６から出射された光を、感光体１０上に形成された現像トナー像を構成する各トナーに照射することにより、各トナーに発色情報が付与される。即ち。光源７６Ｙ、光源７６Ｍ、及び光源７６Ｃの各々から出射された光により、現像トナー像を複数領域に分割した（例えば、ドット毎に分割した）各領域に位置するトナーに、画像データの色に発色するように発色情報が付与される。
【０１４８】
発色情報付与装置２８としては、例えば、ＲＯＳを用いたレーザスキャニングシステム、ＬＥＤイメージバーシステム等などを用いることができる。図１１における矢印Ｂのように、発色情報付与装置２８の光源（図示せず）から感光体１０表面に、ビームを照射して露光を行うことが可能である。これ以外にも今後開発される新規な露光手段が本発明の効果を達成する限り使用できる。
【０１４９】
現像トナー像に照射される光の照射スポット径は、形成される画像の解像度が１００〜２４００ｄｐｉの範囲となるよう、１０〜３００μｍの範囲となるように調整されることが好ましく、２０〜２００μｍの範囲とすることがより好ましい。
【０１５０】
発色あるいは非発色状態維持のために供される光（発色情報付与のための露光）の波長は、トナーが吸収する波長域である必要があるため使用されるトナーの材料設計により決まるが、例えば、特定波長の光照射により発色するトナー（光発色型トナー）を用いる場合、イエロー（Ｙ色）に発色させるときは４０５ｎｍの光（λｙ光とする）を、マゼンタ（Ｍ色）に発色させるときは５３５ｎｍの光（λｍ光とする）を、シアン（Ｃ色）に発色させるときは６５７ｎｍの光（λｃ光とする）を、その発色させる所望の位置にそれぞれ照射する。
【０１５１】
また、光発色型トナーで二次色に発色させる時には、前記光の組み合わせになり、レッド（Ｒ色）に発色させる時はλｙ光及びλｍ光を、グリーン（Ｇ色）に発色させる時はλｙ光及びλｃ光を、ブルー（Ｂ色）に発色させる時はλｍ光及びλｃ光を、その発色させる所望の位置にそれぞれ照射する。さらに、三次色であるブラック（Ｋ色）に発色させるときは上記λｙ光、λｍ光及びλｃ光をその発色させる所望の位置に重ねて照射する。
【０１５２】
一方、特定波長の光照射により非発色状態を維持するトナー（光非発色型トナー）の場合には、例えば、イエロー（Ｙ色）を発色させないようにするときは４０５ｎｍの光（λｙ光）を、マゼンタ（Ｍ色）に発色させないようにするときは５３５ｎｍの光（λｍ光）を、シアン（Ｃ色）に発色させないようにするときは６５７ｎｍの光（λｃ光）を、その発色させる所望の位置にそれぞれ照射する。したがって、Ｙ色に発色させる時はλｍ光及びλｃ光を、Ｍ色に発色させる時はλｙ光及びλｃ光を、Ｃ色に発色させる時はλｙ光及びλｍ光を、その発色させる所望の位置にそれぞれ照射することとなる。
【０１５３】
また、光非発色型トナーで二次色に発色させる時には、前記光の組み合わせになり、レッド（Ｒ色）に発色させる時はλｃ光を、グリーン（Ｇ色）に発色させる時はλｍ光を、ブルー（Ｂ色）に発色させる時はλｙ光を、その発色させる所望の位置にそれぞれ照射する。さらに、三次色であるブラック（Ｋ色）に発色させるときはその発色させる所望の位置には露光しないようにする。
【０１５４】
発色情報付与装置２８からの光は、必要に応じてパルス巾変調、強度変調、左記２つを組み合わせたものなど、公知の画像変調方法が使用可能である。また、光の露光量は０．０５〜０．８ｍＪ／ｃｍ２の範囲とすることが好ましく、０．１〜０．６ｍＪ／ｃｍ２の範囲とすることがより好ましい。特にこの露光量に関しては、必要露光量は現像されたトナーの量と相関があり、例えば、トナー現像量（べた）が約５．５ｇ／ｍ２に対し０．２〜０．４ｍＪ／ｍ２の範囲の露光を行うことが好ましい。
【０１５５】
（転写装置）
転写装置１８は、感光体１０上のトナー像を記録媒体１００に転写する。発色情報を与えられた感光性トナーは、その後一括して記録媒体１００に転写される。供給部（図示せず）から供給された記録媒体１００が、搬送ロール（図示せず）等によって感光体１０と転写装置１８とによって挟持される位置まで搬送され、感光体１０と転写装置１８とによって挟持搬送されることで、感光体１０上のトナー像は記録媒体１００に転写される。
【０１５６】
転写装置１８としては公知の転写手段が使用できる。例えば、接触方式である場合は、ロール、ブラシ、ブレード等が使用でき、非接触方式の場合は、コロトロン、スコロトロン、ピンコロトロン等が使用できる。また、圧力、若しくは圧力及び熱による転写も可能である。転写バイアスは３００〜１０００Ｖ（絶対値）の範囲とすることが好ましく、さらに交流（Ｖｐｐ：４００Ｖ〜４ｋＶ、４００〜３ｋＨｚ）を重畳してもよい。
【０１５７】
（定着装置）
定着装置２２は、トナー像を発色させる発色手段を兼ねており、記録媒体１００上にトナー像を定着させると共に、トナーに熱を加えて発色させる。発色（あるいは非発色状態維持）可能な状態におかれた前記トナー像は、記録媒体１００が定着装置２２によって加熱されることで発色がなされる。
【０１５８】
定着装置２２としては公知の定着手段が使用できる。例えば、加熱部材及び加圧部材としてロール、ベルトのそれぞれが選択可能であり、熱源としては、ハロゲンランプ、ＩＨ等が使用可能である。その配置も、種々の紙パス、例えばストレートパス、リアＣパス、フロントＣパス、Ｓパス、サイドＣパス等に対応可能である。
【０１５９】
なお、図１１に示した画像形成装置では、定着装置２２が発色手段と定着手段とを兼ねているが、発色装置は定着装置と別に設けられていてもよい。発色工程を実施するための発色装置を配置する位置は特に制限されない。例えば、定着装置２２によって記録媒体１００上にトナー像が定着される前に、トナー像を発色させることが可能な位置に配置することができる。
【０１６０】
発色の方法については、トナー粒子の発色メカニズムに応じて様々の方法が考えられるため、発色装置（発色手段）としては、例えばさらに異なる波長の光を用いてトナー中に発色関与物質を硬化させ、あるいは光分解させるなどの方法で発色をさせ、または制限する方法では特定光の発光装置、加圧してカプセル化した発色粒子を破壊するなどの方法で発色をさせ、または制限する方法では加圧装置、などを用いることができる。
【０１６１】
しかしながら、発色をさせるこうした化学的な反応は、一般的に泳動、拡散による反応速度が遅いため、上記いずれの方法をとるにしても充分な拡散エネルギーを与える必要があり、そういった点で加熱して反応を促す方法が最も優れているといえる。このため、前記発色手段と定着手段とを兼ねる定着装置２２を用いることが好ましい。
【０１６２】
（発色固定装置）
発色固定装置２４は、トナーの発色を固定化するために記録媒体１００への光照射を行う。この光照射により発色不可能な状態に制御された発色部中に残存する反応性物質を分解又は失活させることができるため、画像形成後のカラーバランスの変動をより確実に抑制したり、バックグランド色の除去・漂白を行ったりすることができる。
【０１６３】
発色固定装置２４としては、トナーの発色をこれ以上進めないようにすることができれば特に制限されず、公知のランプ、例えば、蛍光灯、ＬＥＤ、ＥＬ等が使用できる。また、照射光の波長は前記トナーを発色させるための光に三波長を含み、照度は２０００〜２０００００ｌｕｘの範囲程度とすることが好ましく、露光時間は０．５〜６０ｓｅｃの範囲とすることが好ましい。
【０１６４】
なお、図１１に示した画像形成装置では、発色固定装置２４は定着装置２２の下流側に設けられているが、加熱溶融しない定着方法、例えば圧力を用いて定着させる圧力定着などの場合は、発色固定装置２４を定着装置２２の上流側に設けることもできる。また、発色固定装置２４を省略してもよい。
【０１６５】
＜画像形成装置の制御系の構成＞
次に、画像形成装置の電気的構成について説明する。図１２は図１１に示す画像形成装置の制御系の構成を示すブロック図である。
【０１６６】
上述したように画像形成装置は、画像形成装置の全体を制御するためのコントロールユニット３０を含んで構成されている（図１、図４参照）。コントロールユニット３０は、画像形成装置の各部の動作を制御する制御部３８、入力された画像データを画像形成装置に適した形式の画像データに変換する画像処理部４０、各種データや各種プログラムを記憶するメモリ４２、ＣＣＤ等の色ずれ検出部３６で検出された画像データを取得する検出データ取得部４４、露光装置１４を制御する露光制御部４６、及び発色情報付与装置２８を制御する発色情報付与制御部４８を含んで構成されている。
【０１６７】
これら制御部３８、画像処理部４０、メモリ４２、検出データ取得部４４、露光制御部４６、及び発色情報付与制御部４８の各々と、表示入力部３２と、情報取得部３４とは、互いにデータや信号の授受が行えるように、バス３１により接続されている。
【０１６８】
制御部３８は、ＣＰＵ（Central Processing Unit）、ＲＯＭ（Read Only Memory）、ＲＡＭ（Random Access Memory）等を含んだマイクロコンピュータとして構成されている。画像処理部４０は、ＲＧＢデータとして入力された画像データをＹＭＣデータに色変換し、多値画像であるＹＭＣデータをスクリーン処理して、ＹＭＣデータの各画素の階調がドットマトリックスで表現された２値画像に変換する。これによりドット毎にオン/オフするＹ色書き込み用の画像データ、Ｍ色書き込み用の画像データ、及びＣ色書き込み用の画像データ（以下、「ＹＭＣ書き込み用の画像データ」という。）が各々生成される。
【０１６９】
また、画像処理部４０は、ドット毎にＹＭＣの論理和を求め、潜像書き込み用の画像データを生成する。静電潜像露光と発色情報付与露光とで、解像度が異なる画像データを生成してもよい。更に、画像処理部４０は、後述する通り、色ずれ補正用のテストチャートの画像を形成する場合には、ＹＭＣ書き込み用の画像データを加工する。メモリ４２には、テストチャート画像データ６２と色ずれ補正プログラム６４とが記憶されている。
【０１７０】
露光制御部４６は、入力された画像データに応じて露光装置１４の光源７４から感光体１０表面へ露光される光の強度（例えば、オン／オフ）を制御する。また、露光制御部４６には、書き込み開始のタイミング等の設定値を予め記憶した設定値記憶部６６が設けられている。露光制御部４６は、制御部３８から書き込み開始信号が入力されると、設定値記憶部６６に記憶された設定値に基づいて、露光装置１４の書き込みタイミング等を制御する。これらの露光制御部４６の制御によって、露光装置１４の光源７４による露光が行われて、感光体１０表面に静電潜像が形成される。
【０１７１】
発色情報付与制御部４８は、入力された画像データに応じて発色情報付与装置２８の光源７６Ｙ、光源７６Ｍ、光源７６Ｃの各々から、感光体１０表面へ露光される光の強度を制御する。また、発色情報付与制御部４８には、書き込み開始のタイミング等の設定値を予め記憶した設定値記憶部６８が設けられている。発色情報付与装置２８の書き込み開始のタイミング等の設定値は、静電潜像を形成するための露光領域１０８の位置と、発色情報付与のための露光領域１１４の位置とが、調度重なるように設定される。色ずれが生じた場合には、これらの設定値を修正することで、色ずれを補正することができる。
【０１７２】
発色情報付与制御部４８は、制御部３８から書き込み開始信号が入力されると、設定値記憶部６８に記憶された設定値に基づいて、発色情報付与制御部４８の書き込みタイミング等を制御する。これらの発色情報付与制御部４８の制御によって、発色情報付与装置２８の光源７６Ｙ、光源７６Ｍ、及び光源７６Ｃによる露光が行われて、感光体１０表面に形成された現像トナー像に発色情報が付与される。
【０１７３】
図１３は図１１に示す画像形成装置の露光制御系の動作を説明するための機能ブロック図である。画像処理部４０は、上述した通り、入力されたＲＧＢデータからＹＭＣ書き込み用の画像データを生成するＹＭＣ書き込みデータ生成部７０と、ＹＭＣの論理和を求め、潜像書き込み用の画像データを生成する論理和回路７２と、を含んで構成されている。また、発色情報付与制御部４８は、設定値記憶部６８の外に、イエロー発色制御回路８０Ｙ、マゼンタ発色制御回路８０Ｙ、シアン発色制御回路８０Ｃ、及び同期信号を生成する発振回路８２を備えている。
【０１７４】
イエロー発色制御回路８０Ｙは、発色情報付与装置２８のイエロー発色部を発色させる発色情報を付与する光源７６Ｙを駆動制御する。マゼンタ発色制御回路８０Ｍは、発色情報付与装置２８のマゼンタ発色部を発色させる発色情報を付与する光源７６Ｍを駆動制御する。シアン発色制御回路８０Ｃは、発色情報付与装置２８のシアン発色部を発色させる発色情報を付与する光源７６Ｃを駆動制御する。
【０１７５】
通常の画像形成動作の場合には、ＲＧＢデータが入力されると、画像処理部４０は、ＹＭＣ書き込みデータ生成部７０で、入力されたＲＧＢデータからＹＭＣ書き込み用の画像データを生成し、生成したＹＭＣ書き込み用の画像データを論理和回路７２に出力する。論理和回路７２は、ＹＭＣのいずれか一色でも画像データがオンの場合に潜像が書き込まれるように、ドット毎にＹＭＣの論理和を求め、潜像書き込み用の画像データを生成し、生成した潜像書き込み用の画像データを、露光制御部４６に出力する。
【０１７６】
露光制御部４６は、制御部３８から書き込み開始信号が入力されると、設定値記憶部６６に設定された書き込みタイミングで走査露光を開始する。また、露光制御部４６は、入力された潜像書き込み用の画像データに応じて露光装置１４の光源７４を駆動制御する。これにより、感光体１０表面の所定領域（露光領域１０８）が露光され、感光体１０上に静電潜像が形成される。
【０１７７】
ＹＭＣ書き込みデータ生成部７０で生成されたＹＭＣ書き込み用の画像データは、発色情報付与制御部４８にも出力される。Ｙ色書き込み用の画像データはイエロー発色制御回路８０Ｙに入力され、Ｍ色書き込み用の画像データはマゼンタ発色制御回路８０Ｍに入力され、Ｃ色書き込み用の画像データはシアン発色制御回路８０Ｃに入力される。また、イエロー発色制御回路８０Ｙ、マゼンタ発色制御回路８０Ｍ、及びシアン発色制御回路８０Ｃには、発振回路８２から同期信号が入力される。
【０１７８】
発色情報付与制御部４８は、制御部３８から書き込み開始信号が入力されると、設定値記憶部６８に設定された書き込みタイミングで走査露光を開始する。また、イエロー発色制御回路８０Ｙは、入力されたＹ色書き込み用の画像データに応じて、発色情報付与装置２８の光源７６Ｙを駆動制御する。同様に、マゼンタ発色制御回路８０Ｍは、入力されたＭ色書き込み用の画像データに応じて光源７６Ｍを駆動制御し、シアン発色制御回路８０Ｃは、入力されたＣ色書き込み用の画像データに応じて光源７６Ｃを駆動制御する。
【０１７９】
また、イエロー発色制御回路８０Ｙ、マゼンタ発色制御回路８０Ｍ、及びシアン発色制御回路８０Ｃの各々は、発振回路８２から入力された同期信号に同期して、光源７６Ｙ、光源７６Ｍ、光源７６Ｃを駆動する。光源７６Ｙ、光源７６Ｍ、及び光源７６Ｃの各々から出力される光は、感光体１０表面の同じ位置に同時に照射される。これにより、感光体１０表面の所定領域（露光領域１１４）が露光され、感光体１０上の現像トナー像に発色情報が付与される。
【０１８０】
＜色ずれ補正処理＞
次に、画像形成装置で実施される「色ずれ補正処理」について説明する。図１４は図１２に示す画像形成装置で実行される「色ずれ補正プログラム」の処理ルーチンを示すフローチャートである。表示入力部３２に表示された操作画面を操作して、ユーザが「色ずれ補正処理」を選択すると、制御部３８のＣＰＵは、色ずれ補正プログラム６４をメモリ４２から読み出し、ＲＡＭにロードする。そして、ＲＡＭをワークエリアとして使用し、表示入力部３２を用いてユーザと対話をしながら、ロードされたプログラムを実行する。また、表示入力部３２に表示される操作画面には、ユーザは、画像形成装置が自動的に「色ずれ補正処理」を行う「自動補正」を選択できるように、選択ボタン等が表示されている。
【０１８１】
色ずれ補正プログラムの処理ルーチンが開始されると、まず、ステップ１００で、メモリ４２からテストチャートの画像データ（ＲＧＢデータ）を読み出す。ここでは、図４（Ａ）に示すパターン画像２００が形成されたテストチャートを使用する。上述した通り、パターン画像２００は、上述した通り、「第１の色」の第１画像部２０６と非画像部２０８とからなる第１パターン２０２と、「第２の色」の第２画像部２１０と「第３の色」の背景画像部２１２とからなる第２パターン２０４と、で構成されている。
【０１８２】
ステップ１０２で、潜像書き込み用の画像データを生成する。ＹＭＣ書き込みデータ生成部７０で、入力されたＲＧＢデータからＹＭＣ書き込み用の画像データを生成し、生成したＹＭＣ書き込み用の画像データを論理和回路７２に出力する。論理和回路７２は、ＹＭＣの論理和を求め、潜像書き込み用の画像データを生成し、生成した潜像書き込み用の画像データを、露光制御部４６に出力する。
【０１８３】
ステップ１０４で、ＹＭＣ書き込み用の画像データを加工する。ＹＭＣ書き込みデータ生成部７０で、生成したＹＭＣ書き込み用の画像データを、パターン画像２００の非画像部２０８に対応する領域が、第１画像部２０６と同様に「第１の色」に発色するように加工する。そして、加工されたＹＭＣ書き込み用の画像データを、発色情報付与制御部４８に出力する。
【０１８４】
ステップ１０６で、テストチャートの画像を形成するために、制御部３８から露光制御部４６及び発色情報付与制御部４８に書き込み開始信号を出力する。これにより、パターン画像２００に応じて感光体の露光領域１０８が露光されて静電潜像が形成される。図４（Ｂ）に示すように、この静電潜像がトナーで現像されて、パターン画像２００に応じた現像トナー像３００が形成される。パターン画像２００の内、非画像部２０８を除いた、第１画像部２０６、第２画像部２１０、及び背景画像部２１２に対応する領域に、トナーが付着した現像トナー像３００が形成される。
【０１８５】
続いて、図４（Ｃ）に示すように、感光体の露光領域１１４が露光パターン４００で露光されて、露光領域１１４内に在る現像トナー像３００に発色情報が付与される。トナー像領域３０６、トナー像領域３１０、及びトナー像領域３１２からなるトナー像領域の内、露光パターン４００の第１発色情報付与領域４０８と重なる領域にあるトナーには、「第１の色」で発色するように発色情報が付与される。また、トナー像領域の内、第２発色情報付与領域４１０と重なる領域にあるトナーには、「第２の色」で発色するように発色情報が付与される。トナー像領域の内、第３発色情報付与領域４１２と重なる領域にあるトナーには、「第３の色」で発色するように発色情報が付与される。
【０１８６】
ステップ１０８で、自動補正が選択されたか否かを判断する。表示入力部３２に表示された操作画面で「自動補正」が選択されていれば、肯定判定してステップ１１０に進み、「自動補正」が選択されていなければ、否定判定してステップ１１８に進む。
【０１８７】
ステップ１１０で、記録媒体１００上に形成された画像を読み取る。制御部３８は、検出データ取得部４４を介して、ＣＣＤ等の色ずれ検出部３６で検出された画像データを取得する。図６（Ａ）に示すように、静電潜像を形成するための露光領域１０８の位置に対して、発色情報付与のための露光領域１１４の位置がずれていると、記録媒体１００上には図６（Ｂ）に示す発色トナー像５００が形成される。
【０１８８】
ステップ１１２で、読み取った画像からずれ量を計測する。図６（Ｂ）で説明したように、基準線Ｌ３と基準線Ｌ４との間隔から、露光領域１０８に対する露光領域１１４の主走査方向の相対的なずれ量「ｘ」を求め、基準線Ｌ１と基準線Ｌ３との間隔から、副走査方向の相対的なずれ量「ｙ」を求める。
【０１８９】
ステップ１１４で、計測されたずれ量から発色情報付与装置２８の書き込み開始のタイミング等の補正値を求める。例えば、ずれ量と補正値とを対応付けるルックアップテーブル（ＬＵＴ）を予めＲＯＭに記憶しておいて、計測されたずれ量から対応する補正値を導き出す。
【０１９０】
ステップ１１６で、得られた補正値を、発色情報付与制御部４８の設定値記憶部６８に設定して、色ずれ補正プログラムの処理ルーチンを終了する。これにより、発色情報付与装置２８の書き込み開始のタイミング等の設定値は、静電潜像を形成するための露光領域１０８の位置と、発色情報付与のための露光領域１１４の位置とが、調度重なるように修正される。これら書き込み開始のタイミング等の修正により、色ずれが補正される。なお、ここでは、発色情報付与装置２８の書き込み開始のタイミング等の設定値を修正しているが、露光装置１４の書き込み開始のタイミング等を修正してもよい。
【０１９１】
一方、ステップ１０８で否定判定してステップ１１８に進んだ場合には、ステップ１１８で、表示入力部３２にずれ量入力画面を表示する。ずれ量入力画面には、ユーザがずれ量を入力するためのダイアログボックスや指示ボタン等が設けられている。ユーザは、図６（Ｂ）に示す発色トナー像５００を見て、露光領域１０８に対する露光領域１１４の主走査方向の相対的なずれ量「ｘ」を計測し、副走査方向の相対的なずれ量「ｙ」を計測して、ダイアログボックスに計測したずれ量を入力することができる。また、指示ボタンで、色ずれ補正の開始を指示することができる。
【０１９２】
ステップ１２０で、ずれ量が入力されたか、色ずれ補正の開始が指示されたか否かを繰り返し判断する。色ずれ補正の開始が指示されると、肯定判定してステップ１２２に進む。ステップ１２２で、入力されたずれ量から発色情報付与装置２８の書き込み開始のタイミング等の補正値を求める。ステップ１２４で、得られた補正値を、発色情報付与制御部４８の設定値記憶部６８に設定して、ルーチンを終了する。
【０１９３】
＜感光性トナー＞
次に、本発明で使用する感光性トナーについて説明する。感光性トナーは、前述のように、例えばトナーの１粒１粒が異なる波長の光で露光されると、該波長に応じた色に発色する（発色）状態、あるいは発色しない（非発色）状態を維持する機能を有している。すなわち、トナーがその内部に光による発色情報の付与により発色可能な発色性物質を有しており、光による発色情報の付与により、トナーが発色または非発色の状態を維持するように制御されるものである。
【０１９４】
ここで、前記「光による発色情報の付与」とは、トナー像を構成する個々のトナー粒子単位で発色／非発色状態や発色した際の色調を制御するために、トナー像の所望の領域に対して選択的に１種類以上の特定波長の光を付与する、あるいは、何らの光を付与しないことを意味する。
【０１９５】
上記のような機能を有するトナーとしては、種々のタイプがあるが、例えば前記特許文献２に開示されているトナーは、外部刺激を受けて物質透過性が変化するカプセル壁を有する複数のマイクロカプセルをトナー樹脂中に分散混合して成る粒子であり、この粒子中に互いに混合されて発色反応を起こす２種類の反応性物質のうちの一方（各色染料前駆体）が、マイクロカプセル内に、他方（顕色剤）がマイクロカプセル外のトナー樹脂中に含まれるものである。
【０１９６】
このトナーでは、カプセル壁として特定波長の光を照射した際に物質透過性が増大する光異性化物質を用い、このシス−トランス遷移を利用して光の照射や超音波を印加した際に、カプセル内外に存在する２種類の反応性物質が反応して発色する。
【０１９７】
したがってこの構成のトナーの場合、前記シス−トランス遷移は可逆反応であるため、光刺激によりトランス状態からシス状態への遷移が起こり、顕色剤がカプセル壁をわずかに透過したとしても、プリントプロセス中にトランス状態に戻った場合には加熱による発色時に十分な発色反応（濃度）が得られない場合がある。
【０１９８】
このため、本発明では、互いに隔離された状態で存在し、互いに反応した際に発色する第１成分及び第２成分と、該第１成分及び第２成分のいずれかを含む光硬化性組成物と、を有し、光による発色情報の付与により前記光硬化性組成物が硬化または未硬化の状態を維持して、前記発色のための反応が制御されるトナー（以下、「Ｆトナー」という場合がある）を用いることが好ましい。
【０１９９】
後述するように、上記Ｆトナーにおいては、トナーに対する発色情報付与メカニズムは可逆反応ではないので、ハイライト画像形成用に発色させたいトナーは低中間調の濃度で安定して発色させることができる。従って、現状の多色インクジェットプリンターに見られるような高画質画像形成が可能となる。さらに、前記のように発色情報付与メカニズムが可逆反応ではないことより、加熱による発色までに時間的制約がないというメリットを有する結果、低速域までのプリントも可能、すなわち、広いスピードレンジに対応可能となり、加えて、加熱による発色が行なわれる定着器等の配置場所についても自由度が高いというメリットを有している。
【０２００】
上記Ｆトナーの発色メカニズムと簡単な構成について、以下に説明する。
【０２０１】
前記Ｆトナーは、後述するように、バインダー樹脂中に発色部と呼ばれる光による発色情報が付与された際に、特定のひとつの色に発色可能な（または非発色状態を維持することが可能な）連続した領域を１つ以上有する。図１５は「Ｆトナー」中の前記発色部の一例を示す模式図である。図１５（Ａ）は１つの発色部の概略的な構造を示す図であり、図１５（Ｂ）はさらにその発色部に含まれる材料を示す図である。
【０２０２】
図１５（Ａ）に示すように、発色部６０中には、各色の発色剤を含有する発色性マイクロカプセル５０とそれを取り巻く組成物５８とから構成され、図１５（Ｂ）に示すように、組成物５８は、マイクロカプセル５０に含有される発色剤（第１成分）５２と近接または接触することで発色させる重合性官能基を有した顕色剤モノマー（第２成分）５４と光重合開始剤５６とを含んでいる。
【０２０３】
トナー粒子を構成する発色部６０において、発色性マイクロカプセル５０に封入する発色剤５２としては、発色色相の鮮やかさに優れたトリアリール系ロイコ化合物などが好適である。このロイコ化合物（電子供与性）を発色させる顕色剤モノマー５４としては電子受容性化合物が好ましい。特にフェノール系化合物が一般的であり、感熱、感圧紙などに利用されている顕色剤から適宜選択できる。このような電子供与性の発色剤５２と電子受容性の顕色剤モノマー５４とが酸塩基反応することで発色剤が発色することになる。
【０２０４】
光重合開始剤５６としては、可視光により感光し顕色剤モノマー５４を重合させるためのトリガーとなる重合性ラジカルを発生する分光増感色素が用いられる。例えば、Ｒ色、Ｇ色、Ｂ色の如き三原色露光に対して、顕色性モノマー５４が十分な重合反応を進行させることができるように光重合開始剤５６の反応促進剤が用いられる。例えば、露光光を吸収する分光増感色素（カチオン）とホウ素化合物（アニオン）からなるイオンコンプレックスを用いることにより、露光により分光増感色素が光励起されホウ素化合物に電子移動することで重合性ラジカルが生成し重合を開始する。
【０２０５】
これらの材料を組み合わせることにより、感光性の発色部６０として、０．１〜０．２ｍＪ／ｃｍ２程度の発色記録感度を得ることができる。
【０２０６】
上記構成の発色部６０に対する発色情報のための光照射の有無により、発色部６０によっては重合された顕色剤化合物と重合されなかった顕色剤モノマー５４とを有するものが存在することになる。その後の加熱などの発色装置によって、重合されなかった顕色剤モノマー５４を有する発色部６０では、この顕色剤モノマー５４が熱などによって泳動し、発色剤マイクロカプセル５０の隔壁の空孔を泳動通過して発色剤マイクロカプセル中に拡散する。マイクロカプセル５０中に拡散された顕色剤モノマー５４と発色剤５２とは、前述のように発色剤５２が塩基性であり、顕色剤モノマー５４が酸性であることにより発色剤５２を酸塩基反応によって発色させることになる。
【０２０７】
一方、重合反応を生じた顕色剤化合物は、この後の加熱などによる発色工程では重合による嵩高さによりマイクロカプセル５０の隔壁の空孔を拡散通過できず、発色性マイクロカプセル中の発色剤５２と反応ができないため発色することができない。したがって、発色性マイクロカプセル５０は無色のままで残ることとなる。すなわち、特定波長光を照射された発色部６０は発色されに存在することになる。
【０２０８】
発色後、適当な段階で再度全面を白色光源で露光することにより、残留している重合未了の顕色性モノマー５４を全て重合させて安定した画像定着がなされるとともに、残留分光増感色素を分解することで地色の消色が行われる。なお、可視光域に対応する光重合開始剤５６の分光増感色素はその色調が最後まで地色として残留してしまうが、この分光増感色素の消色には色／ホウ素化合物の光消色現象を利用することができる。すなわち、光励起された分光増感色素からホウ素化合物に電子移動することで重合性ラジカルが生成するが、このラジカルはモノマーの重合を引き起こす一方で、励起された色素ラジカルと反応して色素の色分解を起し、結果的に色素を消色させることができる。
【０２０９】
前記Ｆトナーでは、このような異なる発色を行なう発色部６０（例えば、Ｙ色、Ｍ色、Ｃ色に発色する）を、それぞれの顕色剤モノマー５４が目的とする発色剤５２以外の発色剤と干渉し合わない状態（互いに隔離された状態）にして一つのマイクロカプセルとして構成し用いることができる。そしてこのＦトナーでは、電子供与性発色剤を含むマイクロカプセル以外の空間を電子受容性顕色剤及び光硬化性組成物が埋め、かつこれにより構成される発色部が受光するため、一粒のトナー粒子における受光効率のよさは、前記特許文献２に開示されたトナーに比べ圧倒的に高い。したがって、他のトナーと比較して、例えば前記背面露光の場合の効果を十分に活用できるものである。
【０２１０】
さらに、前記のように発色情報付与メカニズムが可逆反応ではないことより、加熱による発色までに時間的制約がないというメリットを有する結果、低速域までのプリントも可能、すなわち、広いスピードレンジに対応可能となり、加えて、加熱による発色が行なわれる定着器等の配置場所についても自由度が高いというメリットも有している。
【０２１１】
Ｆトナーの構成について、さらに詳述する。
【０２１２】
Ｆトナーは、発色可能な物質（発色性物質）として、互いに隔離された状態で存在し、互いに反応した際に発色する第１成分と第２成分とを含む。このように、２種類の反応性成分の反応を利用して発色させることにより、発色の制御が容易になる。なお、前記第１成分、第２成分は、発色する前の状態において予め着色していてもよいが、実質的に無色の物質であることが特に好ましい。
【０２１３】
前記発色制御を容易とするために、発色性物質として互いに反応した際に発色する２種類の反応性成分を用いるが、これらの反応性成分が、光による発色情報が付与されない状態でも物質拡散が容易な同一のマトリックス内に存在すると、トナーの保管時や製造時において、自発的な発色が進行してしまう場合がある。
【０２１４】
このため、前記反応性成分は、その種類毎に、発色情報が付与されない限り互いの領域への物質拡散が困難な異なるマトリックス内に含まれていること（互いに隔離されていること）が必要である。
【０２１５】
このように光による発色情報が付与されない状態での物質拡散を阻害して、トナーの保管時や製造時における自発的な発色を防止するためには、２種類の反応性成分の第１成分が第１のマトリックスに含まれ、第２成分が第１のマトリックス外（第２のマトリックス）に含まれ、第１のマトリックスと第２のマトリックスとの間には、両マトリックス間の物質の拡散が阻害されると共に、熱等の外部刺激が付与された際には、刺激の種類、強度や、組み合わせに応じて両マトリックス間の物質の拡散を可能とするような機能を持つ隔壁が設けられることが好ましい。
【０２１６】
なお、このような隔壁を利用して２種類の反応性成分をトナー中に配置するには、マイクロカプセルを利用することが好適である。
【０２１７】
この場合、Ｆトナーには、２種類の反応性成分のうち、例えば第１成分がマイクロカプセル内に含まれ、第２成分がマイクロカプセル外に含まれることが好ましい。この場合、マイクロカプセル内部が前記第１のマトリックス、マイクロカプセル外が前記第２のマトリックスに相当する。
【０２１８】
このマイクロカプセルは、芯部と、該芯部を被覆する外殻とを有するものであり、熱等の外部刺激が付与されない限りマイクロカプセル内外の物質の拡散を阻害すると共に、外部刺激が付与された際には、刺激の種類、強度や、組み合わせに応じてマイクロカプセル内外の物質の拡散を可能とする機能を有するものであれば特に限定されない。なお芯部には、前記反応性成分の一方が少なくとも含まれる。
【０２１９】
また、マイクロカプセルは、光の照射や圧力などの刺激の付与によってマイクロカプセル内外の物質拡散を可能とするものでもよいが、加熱処理によりマイクロカプセル内外の物質拡散を可能とする（外殻の物質透過性が増大する）熱応答性マイクロカプセルであることが特に好ましい。
【０２２０】
なお、刺激が付与された際のマイクロカプセル内外の物質拡散は、画像形成時の発色濃度の低下を抑制したり、高温環境下に放置された画像のカラーバランスの変化を抑制する観点からは、不可逆的なものであることが好ましい。それゆえ、マイクロカプセルを構成する外殻は、加熱処理や光照射等の刺激の付与による軟化、分解、溶解（周囲の部材への相溶）、変形等により、物質透過性が不可逆的に増大する機能を有することが好ましい。
【０２２１】
次に、前記Ｆトナーがマイクロカプセルを含む場合の好ましい構成について説明する。
【０２２２】
このようなトナーとしては、互いに反応した際に発色する第１成分および第２成分と、マイクロカプセルと、第２成分を分散させた光硬化性組成物とを含むものであることが好ましく、このようなトナーとしては、以下の３つの態様が挙げられる。
【０２２３】
すなわち、前記Ｆトナーは、互いに反応した際に発色する第１成分および第２成分と、光硬化性組成物と、この光硬化性組成物中に分散するマイクロカプセルとを含み、第１成分がマイクロカプセルに含まれ、第２成分が光硬化性組成物中に含まれる態様（第１の態様）、互いに反応した際に発色する第１成分および第２成分と、光硬化性組成物を含むマイクロカプセルとを含み、第１成分がマイクロカプセル外に含まれ、第２成分が光硬化性組成物内に含まれる態様（第２の態様）、あるいは、互いに反応した際に発色する第１成分および第２成分と、第１成分を含む一のマイクロカプセルと、第２成分を分散させた光硬化性組成物を含む他のマイクロカプセルとを含む態様（第３の態様）のいずれかであることが好ましい。
【０２２４】
これら３つの態様の中では、特に第１の態様が、光による発色情報付与前の安定性、発色の制御等の観点から好ましい。なお、以下のトナーの説明においては、基本的に第１の態様のトナーを前提としてより詳細に説明するが、以下に説明する第１の態様のトナーの構成、材料、製法等は、第２の態様や第３の態様のトナーにおいても、勿論、利用／転用可能である。
【０２２５】
なお、上述した熱応答性マイクロカプセルと光硬化性組成物とを組み合わせて用いたＦトナーは、以下の２つのタイプのいずれかであることが特に好ましい。
【０２２６】
（１）光硬化性組成物が未硬化の状態で加熱処理しても、未硬化の光硬化性組成物中に含まれる第２成分の物質拡散が抑制され、発色情報付与光の照射によって光硬化性組成物が硬化した後に加熱処理すると、硬化後の光硬化性組成物中に含まれる第２成分の物質拡散が促進されるタイプのトナー（以下、「光発色型トナー」と称す場合がある）。
【０２２７】
（２）光硬化性組成物が未硬化の状態（第２成分が重合していない状態）で加熱処理すると、未硬化の光硬化性組成物中に含まれる第２成分の物質拡散が促進され、発色情報付与光の照射によって光硬化性組成物が硬化した後（第２成分が重合した後）に加熱処理すると、硬化後の光硬化性組成物中に含まれる第２成分の物質拡散が抑制されるタイプのトナー（以下、「光非発色型トナー」と称す場合がある）。
【０２２８】
前記光発色型トナーと光非発色型トナーとの主たる違いは、光硬化性組成物を構成する材料にあり、光発色型トナーでは、光硬化性組成物中に（光重合性を有さない）第２成分と光重合性化合物とが少なくとも含まれるのに対して、光非発色型トナーは、光硬化性組成物中に、分子中に光重合性基を有する第２成分が少なくとも含まれる。
【０２２９】
なお、光発色型トナーおよび光非発色型トナーに用いられる光硬化性組成物中には、光重合開始剤が含まれていることが特に好ましく、必要に応じてその他種々の材料が含まれていてもよい。
【０２３０】
上記光発色型トナーに用いられる光重合性化合物および第２成分としては、光硬化組成物が未硬化の状態で両者の間に相互作用が働き、光硬化性組成物中での第２成分の物質拡散が抑制され、発色情報付与光の照射による光硬化性組成物の硬化（光重合性化合物の重合）後の状態で両者の間の相互作用が減少して、光硬化性組成物中での第２成分の拡散が容易となる材料が用いられる。
【０２３１】
従って、光発色型トナーにおいては、加熱処理（発色工程）前に予め光硬化性組成物を硬化させる波長の発色情報付与光を照射しておくことによって、光硬化性組成物中に含まれる第２成分の物質拡散が容易な状態となる。このため、加熱処理された際に、マイクロカプセルの外殻の溶解等によって、マイクロカプセル内の第１成分と光硬化性組成物中の第２成分との反応（発色反応）が起こる。
【０２３２】
逆に、光硬化性組成物を硬化させる波長の発色情報付与光を照射せずに、そのまま加熱処理しても第２成分は光重合性化合物にトラップされ、マイクロカプセル中の第１成分と接触することができず、第１成分と第２成分との反応（発色反応）が起こらない。
【０２３３】
以上説明したように、光発色型トナーでは、光硬化性組成物を硬化させる波長の発色情報付与光の照射の有無と、加熱処理とを組み合わせて付与することによって、第１成分と第２成分との反応（発色反応）を制御できるため、トナーの発色を制御できる。
【０２３４】
また、光非発色型トナーにおいては、第２成分自体が光重合性を有するため、発色情報付与光を照射したとしても、この光の波長が光硬化性組成物を硬化させる波長でなければ、光硬化性組成物中に含まれる第２成分の物質拡散が容易な状態を保てるため、この状態で加熱処理するとマイクロカプセルの外殻の溶解等によって、マイクロカプセル内の第１成分と光硬化性組成物中の第２成分との反応（発色反応）が起こる。
【０２３５】
逆に、加熱処理前に光硬化性組成物を硬化させる波長の発色情報付与光が照射されると、光硬化性組成物中に含まれる第２成分同士が重合してしまうため、光硬化性組成物中に含まれる第２成分の物質拡散が困難となる。それゆえ、加熱処理しても第２成分は、マイクロカプセル中の第１成分と接触することができず、第１成分と第２成分との反応（発色反応）が起こらない。
【０２３６】
以上説明したように、光非発色型トナーでは、光硬化性組成物を硬化させる波長の発色情報付与光の照射の有無と、加熱処理とを組み合わせて付与することによって、第１成分と第２成分との反応（発色反応）を制御できるため、トナーの発色を制御できる。
【０２３７】
次に、前記Ｆトナーの好適な構造について、トナーが、前記光硬化性組成物と、この光硬化性組成物中に分散するマイクロカプセルとを含む場合についてより詳細に説明する。
【０２３８】
この場合、トナーは光硬化性組成物と、この光硬化性組成物中に分散するマイクロカプセルとを含む発色部を１つのみ有するものであってもよいが、２つ以上有することが好ましい。ここで、上記「発色部」とは、前述のように外部刺激が付与された際に、特定のひとつの色に発色可能な連続した領域を意味する。
【０２３９】
なお、トナーに２以上の発色部が含まれる場合、同じ色に発色可能な１種類の発色部のみがトナー中に含まれていてもよいが、互いに異なる色に発色可能な２種類以上の発色部がトナー中に含まれることが特に好ましい。その理由は、ひとつのトナー粒子の発色可能な色が、前者の場合は１種類のみに限定されるが、後者の場合は２種類以上とすることができるからである。
【０２４０】
例えば、互いに異なる色に発色可能な２種類以上の発色部としては、イエロー色に発色可能なイエロー発色部と、マゼンタ色に発色可能なマゼンタ発色部と、シアン色に発色可能なシアン発色部とを含むような組み合わせが挙げられる。
【０２４１】
この場合、例えば、外部刺激の付与によりいずれか１種類の発色部のみが発色した場合には、トナーは、イエロー、マゼンタ、あるいは、シアンのいずれかの色に発色することができ、いずれか２種類の発色部が発色した場合には、これら２種類の発色部の発色した色を組み合わせた色に発色することができ、ひとつのトナー粒子で、多様な色を表現することが可能となる。
【０２４２】
なお、トナー中に互いに異なる色に発色可能な２種類以上の発色部が含まれる場合の発色する色の制御は、各々の種類の発色部に含まれる第１成分および第２成分の種類や組み合わせを異なるものとすることの他に、各々の種類の発色部に含まれる光硬化性組成物の硬化に用いる光の波長を異なるものとすることにより実現できる。
【０２４３】
すなわち、この場合、発色部の種類毎に発色部に含まれる光硬化性組成物の硬化に必要な光の波長が異なるため、制御刺激として、発色部の種類に応じた波長の異なる複数種の発色情報付与光を用いればよい。なお、発色部に含まれる光硬化性組成物の硬化に必要な光の波長を異なるものとするには、発色部の種類毎に異なる波長の光に感応する光重合開始剤を光硬化性組成物中に含有させることが好適である。
【０２４４】
例えば、イエロー、マゼンタ、および、シアンに発色可能な３種類の発色部がトナー中に含まれる場合、各々の種類の発色部に含まれる光硬化性組成物として、光の波長が４０５ｎｍ、５３２ｎｍおよび６５７ｎｍのいずれかに応答して硬化する材料を用いれば、これら３つの異なる波長の発色情報付与光（特定波長を有する光）を使い分けることによって、トナーを所望の色に発色させることができる。
【０２４５】
なお、発色情報付与光の波長としては、可視域の波長から選択することもできるが、紫外域の波長から選択してもよい。
【０２４６】
本発明に用いるトナーは、従来の顔料等の着色剤を用いたトナーに用いられるのと同様な結着樹脂を主成分とする母材を含むものであってもよい。この場合、母材中に、前記２以上の発色部の各々が粒子状のカプセルとして分散していることが好ましい（以下、カプセル状のひとつの発色部を「感光・感熱カプセル」と称する場合がある）。また、母材中には、従来の顔料等の着色剤を用いたトナーと同様に離型剤や、種々の添加剤が含まれていてもよい。
【０２４７】
感光・感熱カプセルは、マイクロカプセルや光硬化性組成物を含む芯部と、該芯部を被覆する外殻とを有し、この外殻は、後述するトナーの製造過程や、トナーの保管時において、感光・感熱カプセル内のマイクロカプセルや光硬化性組成物を感光・感熱カプセル外に漏れないように安定して保持できるものであれば特に限定されない。
【０２４８】
しかしながら、本発明においては、後述するトナーの製造過程において、第２成分が外殻を透過して感光・感熱カプセル外のマトリックスへ流出したり、他の色に発色可能な感光・感熱カプセル中の第２成分が外殻を透過して流入したりするのを防ぐために、非水溶性樹脂からなる結着樹脂や離型材等の非水溶性材料を主成分として含むものであることが好ましい。
【０２４９】
次に、前記Ｆトナーに用いられるトナー構成材料や、各トナー構成材料を調整する際に用いる材料・方法等について以下により詳細に説明する。
【０２５０】
この場合、トナーには、第１成分、第２成分、第１成分を含むマイクロカプセル、第２成分を含む光硬化性組成物が少なくとも用いられ、光硬化性組成物中には光重合開始剤が含まれることが特に好ましく、種々の助剤等が含まれていてもよい。また、マイクロカプセル内（芯部）には第１成分が固体状態で存在していてもよいが、溶媒と共に存在していてもよい。
【０２５１】
なお、前記光非発色型トナーにおいては、第１成分として電子供与性無色染料又はジアゾニウム塩化合物等が用いられ、第２成分として光重合性基を有する電子受容性化合物又は光重合性基を有するカプラー化合物等が用いられる。また、前記光発色型トナーにおいては、第１成分としては、電子供与性無色染料が用いられ、第２成分としては電子受容性化合物（「電子受容性顕色剤」あるいは「顕色剤」と称す場合がある）が用いられ、光重合性化合物としてはエチレン性不飽和結合を有する重合可能な化合物が用いられる。
【０２５２】
以上に列挙した材料に加えて、更に、従来の着色剤を用いたトナーを構成する材料と同様の各種材料；結着樹脂、離型剤、内添剤、外添剤等を必要に応じて適宜利用することができる。以下、各材料等についてより詳細に説明する。
【０２５３】
−第１成分および第２成分−
第１成分および第２成分の組合せとしては、下記（ア）〜（ツ）の組合せを好適に挙げることができる（下記例において、それぞれ前者が第１成分、後者が第２成分を表す。）。
【０２５４】
（ア）電子供与性無色染料と電子受容性化合物との組合せ。
（イ）ジアゾニウム塩化合物とカップリング成分（以下、適宜「カプラー化合物」と称する。）との組合せ。
（ウ）ベヘン酸銀、ステアリン酸銀等の有機酸金属塩と、プロトカテキン酸、スピロインダン、ハイドロキノン等の還元剤との組合せ。
（エ）ステアリン酸第二鉄、ミリスチン酸第二鉄等の長鎖脂肪酸鉄塩と、タンニン酸、没食子酸、サリチル酸アンモニウム等のフェノール類との組合せ。
（オ）酢酸、ステアリン酸、パルミチン酸等のニッケル、コバルト、鉛、銅、鉄、水銀、銀塩のような有機酸重金属塩と、硫化カルシウム、硫化ストロンチウム、硫化カリウム等のアルカリ金属またはアルカリ土類金属硫化物との組合せ、又は前記有機酸重金属塩と、ｓ−ジフェニルカルバジド、ジフェニルカルバゾン等の有機キレート剤との組合せ。
【０２５５】
（カ）銀、鉛、水銀、ナトリウム等の硫酸塩等の重金属硫酸塩と、ナトリウムテトラチオネート、チオ硫酸ソーダ、チオ尿素等の硫黄化合物との組合せ。
（キ）ステアリン酸第二鉄等の脂肪族第二鉄塩と、３，４−ヒドロキシテトラフェニルメタン等の芳香族ポリヒドロキシ化合物との組合せ。
（ク）シュウ酸銀、シュウ酸水銀等の有機酸金属塩と、ポリヒドロキシアルコール、グリセリン、グリコール等の有機ポリヒドロキシ化合物との組合せ。
（ケ）ペラルゴン酸第二鉄、ラウリン酸第二鉄等の脂肪酸第二鉄塩と、チオセシルカルバミドやイソチオセシルカルバミド誘導体との組合せ。
（コ）カプロン酸鉛、ペラルゴン酸鉛、ベヘン酸鉛等の有機酸鉛塩と、エチレンチオ尿素、Ｎ−ドデシルチオ尿素等のチオ尿素誘導体との組合せ。
【０２５６】
（サ）ステアリン酸第二鉄、ステアリン酸銅等の高級脂肪族重金属塩とジアルキルジチオカルバミン酸亜鉛との組合せ。
（シ）レゾルシンとニトロソ化合物との組合せのようなオキサジン染料を形成するもの。
（ス）ホルマザン化合物と還元剤および／又は金属塩との組合せ。
（セ）保護された色素（又はロイコ色素）プレカーサーと脱保護剤との組合せ。
（ソ）酸化型発色剤と酸化剤との組合せ。
【０２５７】
（タ）フタロニトリル類とジイミノイソインドリン類との組合せ。（フタロシアニンが生成する組合せ。）
（チ）イソシアナート類とジイミノイソインドリン類との組合せ（着色顔料が生成する組合せ）。
（ツ）顔料プレカーサーと酸または塩基との組合せ（顔料が形成する組合せ）。
【０２５８】
上記に列挙した第１成分としては、実質的に無色の電子供与性無色染料又はジアゾニウム塩化合物が好ましい。
【０２５９】
前記電子供与性無色染料としては、従来より公知のものを使用することができ、前記第２成分と反応して発色するものであれば全て使用することができる。    具体的には、フタリド系化合物、フルオラン系化合物、フェノチアジン系化合物、インドリルフタリド系化合物、ロイコオーラミン系化合物、ローダミンラクタム系化合物、トリフェニルメタン系化合物、トリアゼン系化合物、スピロピラン系化合物、ピリジン系、ピラジン系化合物、フルオレン系化合物等の各種化合物を挙げることができる。
【０２６０】
前記第２成分としては、前記光非発色型トナーの場合は同一分子内に光重合性基および第１成分と反応して発色する部位とを有する実質的に無色化合物であり、光重合性基を有する電子受容性化合物又は光重合性基を有するカプラー化合物等の第１成分と反応して発色し、かつ光に反応して重合し、硬化するという両機能を有するものであれば全て使用することができる。
【０２６１】
前記光重合性基を有する電子受容性化合物、即ち、同一分子中に電子受容性基と光重合性基とを有する化合物としては、光重合性基を有し、かつ第１成分の一つである電子供与性無色染料と反応して発色し、かつ光重合して硬化しうるものであれば全て使用することができる。
【０２６２】
また、光発色型トナーの場合の第２成分である電子受容性顕色剤としては、フェノール誘導体、含硫フェノール誘導体、有機のカルボン酸誘導体（例えば、サリチル酸、ステアリン酸、レゾルシン酸等）、及びそれらの金属塩等、スルホン酸誘導体、尿素もしくはチオ尿素誘導体等、酸性白土、ベントナイト、ノボラック樹脂、金属処理ノボラック樹脂、金属錯体等が挙げられる。
【０２６３】
さらに、光発色型トナーには、光重合性化合物としてエチレン性不飽和結合を有する重合可能な化合物が用いられ、これはアクリル酸及びその塩、アクリル酸エステル類、アクリルアミド類などの分子中に少なくとも１個のエチレン性不飽和二重結合を有する重合性化合物である。
【０２６４】
次に、前記光重合開始剤について説明する。前記光重合開始剤は、発色情報付与光を照射することによりラジカルを発生して光硬化性組成物内で重合反応を起こし、かつその反応を促進させることができる。この重合反応により光硬化性組成物が硬化する。
【０２６５】
前記光重合開始剤は、公知のものの中から適宜選択することができ、中でも、３００〜１０００ｎｍに最大吸収波長を有する分光増感化合物と、該分光増感化合物と相互作用する化合物と、を含有するものであることが好ましい。
【０２６６】
但し、前記分光増感化合物と相互作用する化合物が、その構造内に３００〜１０００ｎｍに最大吸収波長を有する色素部とボレート部との両構造を併せ持つ化合物であれば、前記分光増感色素を用いなくてもよい。
【０２６７】
前記分光増感化合物と相互作用する化合物としては、前記第２成分中の光重合性基と光重合反応を開始しうる公知の化合物の中から、１種又は２種以上の化合物を適宜選択して使用することができる。
【０２６８】
この化合物を前記の分光増感化合物と共存させることにより、その分光吸収波長領域の照射光に敏感に感応し、高効率にラジカルを発生させうることから、高感度化が図れ、かつ紫外〜赤外領域にある任意の光源を用いてラジカルの発生を制御することができる。
【０２６９】
前記「分光増感化合物と相互作用する化合物」としては、有機系ボレート塩化合物、ベンゾインエーテル類、トリハロゲン置換メチル基を有するＳ−トリアジン誘導体、有機過酸化物又はアジニウム塩化合物が好ましく、有機系ボレート塩化合物がより好ましい。この「分光増感化合物と相互作用する化合物」を前記分光増感化合物と併用して用いることにより、露光した露光部分に局所的に、かつ効果的にラジカルを発生させることができ、高感度化を達成することができる。
【０２７０】
また、光硬化性組成物には重合反応を促進する目的で、さらに助剤として、酸素除去剤（oxygen scavenger）又は活性水素ドナーの連鎖移動剤等の還元剤や連鎖移動的に重合を促進するその他の化合物を添加することもできる。
【０２７１】
前記酸素除去剤としては、ホスフィン、ホスホネート、ホスファイト、第１銀塩又は酸素により容易に酸化されるその他の化合物が挙げられる。具体的には、Ｎ−フエニルグリシン、トリメチルパルビツール酸、Ｎ，Ｎ−ジメチル−２，６−ジイソプロピルアニリン、Ｎ，Ｎ，Ｎ−２，４，６−ペンタメチルアニリン酸が挙げられる。さらに、チオール類、チオケトン類、トリハロメチル化合物、ロフィンダイマー化合物、ヨードニウム塩類、スルホニウム塩類、アジニウム塩類、有機過酸化物、アジド類等も重合促進剤として有用である。
【０２７２】
Ｆトナーでは、電子供与性無色染料やジアゾニウム塩化合物のような第１成分をマイクロカプセルに内包して使用する。
【０２７３】
マイクロカプセル化する方法としては、従来公知の方法を用いることができる。例えば、米国特許第２８００４５７号、同２８０００４５８号に記載の親水性壁形成材料のコアセルベーションを利用した方法、米国特許第３２８７１５４号、英国特許第９９０４４３号、特公昭３８−１９５７４号公報、同４２−４４６号公報、同４２−７７１号公報等に記載の界面重合法、米国特許第３４１８２５０号、同３６６０３０４号に記載のポリマー析出による方法、米国特許第３７９６６６９号に記載のイソシアネートポリオール壁材料を用いる方法、米国特許第３９１４５１１号に記載のイソシアネート壁材料を用いる方法、米国特許第４００１１４０号、同４０８７３７６号、同４０８９８０２号に記載の尿素−ホルムアルデヒド系、尿素ホルムアルデヒド−レゾルシノール系壁形成材料を用いる方法、米国特許第４０２５４５５号に記載のメラミン−ホルムアルデヒド樹脂、ヒドロキシブロビルセルロース等の壁形成材料を用いる方法、特公昭３６−９１６８号、特開昭５１−９０７９号に記載のモノマーの重合によるｉｎ ｓｉｔｕ法、英国特許第９５２８０７号、同９６５０７４号に記載の電解分散冷却法、米国特許第３１１１４０７号、英国特許第９３０４２２号に記載のスプレードライング法、特公平７−７３０６９号公報、特開平４−１０１８８５号公報、特開平９−２６３０５７号公報に記載の方法等が挙げられる。
【０２７４】
使用しうるマイクロカプセル壁の材料は、油滴内部及び／又は油滴外部に添加される。前記マイクロカプセル壁の材料としては、例えば、ポリウレタン、ポリウレア、ポリアミド、ポリエステル、ポリカーボネート、尿素−ホルムアルデヒド樹脂、メラミン樹脂、ポリスチレン、スチレンメタクリレート共重合体、スチレン−アクリレート共重合体等が挙げられる。中でも、ポリウレタン、ポリウレア、ポリアミド、ポリエステル、ポリカーボネートが好ましく、ポリウレタン、ポリウレアがより好ましい。前記高分子物質は、２種以上併用して用いることもできる。
【０２７５】
マイクロカプセルの体積平均粒径は０．１〜３．０μｍの範囲内となるように調整することが好ましく、０．３〜１．０μｍの範囲内となるように調整することが更に好ましい。
【０２７６】
前記感光・感熱カプセルにはバインダーが含まれていてもよく、これは、１つの発色部を有するトナーにおいても同様である。
【０２７７】
バインダーとしては、前記光硬化性組成物の乳化分散に用いるバインダーと同様のもの、第１の反応性物質をカプセル化する際に用いる水溶性高分子のほか、ポリスチレン、ポリビニルホルマール、ポリビニルブチラール、ポリメチルアクリレート，ポリブチルアクリレート，ポリメチルメタクリレート，ポリブチルメタクリレートやそれらの共重合体等のアクリル樹脂、フェノール樹脂、スチレン−ブタジエン樹脂、エチルセルロース、エポキシ樹脂、ウレタン樹脂等の溶剤可溶性高分子、或いは、これらの高分子ラテックスを用いることもできる。中でも、ゼラチン及びポリビニルアルコールが好ましい。また、バインダーとして後述する結着樹脂を用いてもよい。
【０２７８】
また、Ｆトナーには、従来のトナーに用いられている結着樹脂を用いることができる。結着樹脂は、例えば、母材中に感光・感熱カプセルが分散した構造を有するトナーでは、母材を構成する主成分や感光・感熱カプセルの外殻を構成する材料として利用することができるがこれに限定されるものではない。
【０２７９】
結着樹脂としては特に限定されず、公知の結晶性や非晶性の樹脂材料を用いることができる。特に低温定着性を付与するには、シャープメルト性がある結晶性ポリエステル樹脂が有用である。また、無定形高分子（非晶質樹脂）としては、スチレンアクリル系樹脂、ポリエステル樹脂など公知の樹脂材料を用いることができるが、非結晶性ポリエステル樹脂が特に好ましい。
【０２８０】
その他、Ｆトナーは、上記に列挙した以外のその他の成分を含んでいてもよい。その他の成分としては、特に制限はなく、目的に応じて適宜選択でき、例えば、離型剤、無機微粒子、有機微粒子、帯電制御剤等の従来のトナーに用いられている公知の各種添加剤等が挙げられる
【０２８１】
次に、Ｆトナーの製造方法について簡単に説明する。
【０２８２】
Ｆトナーは、凝集合一法等の公知の湿式製法を利用して作製されることが好ましい。特に、互いに反応した際に発色する第１成分および第２成分と、光硬化性組成物と、該光硬化性組成物中に分散するマイクロカプセルとを含み、前記第１成分が前記マイクロカプセルに含まれ、前記第２成分が前記光硬化性組成物中に含まれる構造を有するトナーの作製に湿式製法は好適である。
【０２８３】
なお、上記構造を有するトナーに用いられるマイクロカプセルは熱応答性マイクロカプセルであることが特に好ましいが、光等、その他の刺激に応答するマイクロカプセルであってもよい。
【０２８４】
トナーの製造には、公知の湿式製法が利用できるが、湿式製法の中でも最高プロセス温度を低く抑えることができると共に、様々な構造を有するトナーの作製が容易であることから凝集合一法を利用することが特に好ましい。
【０２８５】
また、従来の顔料や結着樹脂を主成分とするトナーと比べると、上記構造を有するトナーは、低分子成分を主成分として含む光硬化性組成物が多く含まれるため、トナーの造粒過程で得られる粒子の強度は不十分となりやすいが、凝集合一法では、高いせん断力を必要としないため、この点でも凝集合一法を利用することは好適である。
【０２８６】
一般的に、凝集合一法は、トナーを構成する各種材料の分散液を調製した後、２種類以上の分散液を混合した原料分散液中で凝集粒子を形成する凝集工程と、原料分散液に形成された凝集粒子を融合する融合工程とを含むものであり、必要に応じて凝集工程と融合工程との間に、凝集粒子の表面に被覆層を形成する成分を付着させて被覆層を形成する付着工程（被覆層形成工程）とが実施されるものである。
【０２８７】
Ｆトナーの製造においても、原料として使用する各種分散液の種類や組み合わせは異なるものの、凝集工程、融合工程の他に、必要に応じて付着工程を適宜組み合わせることによりトナーを作製することができる。
【０２８８】
例えば、樹脂中に感光・感熱カプセル分散構造を有するトナーの場合には、まず、（ａ１）第１成分を含むマイクロカプセルを分散させたマイクロカプセル分散液と、第２成分を含む光硬化性組成物を分散させた光硬化性組成物分散液とを含む原料分散液中にて第１の凝集粒子を形成する第１の凝集工程と、（ｂ１）前記第１の凝集粒子が形成された原料分散液に、樹脂粒子を分散させた第１の樹脂粒子分散液を添加して、前記凝集粒子表面に前記樹脂粒子を付着させる付着工程と、（ｃ１）前記樹脂粒子をその表面に付着させた凝集粒子を含む原料分散液を加熱して融合させ、第１の融合粒子（感光・感熱カプセル）を得る第１の融合工程とを経ることにより、互いに異なる色に発色可能な１種類以上の感光・感熱カプセル分散液を調製する。
【０２８９】
続いて、（ｄ１）前記１種類以上の感光・感熱カプセル分散液と、樹脂粒子を分散させた第２の樹脂粒子分散液とを混合した混合溶液中にて、第２の凝集粒子を形成する第２の凝集工程と、（ｅ１）前記第２の凝集粒子を含む混合溶液を加熱して、第２の融合粒子を得る第２の融合工程とを経ることにより、感光・感熱カプセル分散構造を有するトナーを得ることができる。
【０２９０】
なお、第２の凝集工程で用いる感光・感熱カプセル分散液の種類は２種類以上が好ましい。また、（ａ１）〜（ｃ１）工程を経て得られた感光・感熱カプセルをそのままトナー（すなわち１つの発色部のみを含むトナー）として利用してもよい。
【０２９１】
また、１つの発色部のみを含むトナーを作製する場合、上述した付着工程の代わりに、前記第１の凝集粒子が形成された原料分散液に、離型剤を分散させた離型剤分散液を添加して、凝集粒子表面に離型剤を付着させる第１の付着工程と、第１の付着工程を経た後の原料分散液に、樹脂粒子を分散させた第１の樹脂粒子分散液を添加して、この離型剤を表面に付着させた凝集粒子表面に樹脂粒子を付着させる第２の付着工程とを実施してもよい。
【０２９２】
本発明に用いることが可能なトナーの体積平均粒径は、特に限定されず、トナーの構造や、トナー中に含まれる発色部の種類・数に応じて適宜調整することができる。
【０２９３】
しかしながら、トナー中に含まれる互いに異なる色に発色可能な発色部の種類が２〜４種類前後（例えば、トナーがイエロー、シアン、マゼンタの各々に発色可能な３種類の発色部を含むような場合）であれば、各々のトナー構造に応じた体積平均粒径は以下の範囲内であることが好ましい。
【０２９４】
すなわち、例えばトナーの構造が樹脂中に感光・感熱カプセル（発色部）分散構造の場合には、トナーの体積平均粒径は５〜４０μｍの範囲内が好ましく、１０〜２０μｍの範囲内がより好ましい。また、このような粒径を有する感光・感熱カプセル分散構造型のトナー中に含まれる感光・感熱カプセルの体積平均粒径は１〜５μｍの範囲内であることが好ましく、１〜３μｍの範囲内であることが好ましい。
【０２９５】
トナーの体積平均粒径が５μｍ未満では、トナー中に含まれる発色成分量が少なくなるため色再現性が悪化したり、画像濃度が低下してしまう場合がある。また、体積平均粒径が４０μｍを超えると、画像表面の凹凸が大きくなり、画像表面の光沢ムラが発生してしまう場合がある。また画質が低下する場合がある。
【０２９６】
なお、その内部に複数の感光・感熱カプセルを分散させた感光・感熱カプセル分散構造型のトナーは、従来の着色剤を用いた小径トナー（体積平均粒径５〜１０μｍ程度）と比べると粒径が大きくなる傾向にあるものの、画像の解像度は、トナーの粒径ではなく感光・感熱カプセルの粒径により決定されるため、より高精細な画像を得ることができる。加えて、粉体流動性にも優れるため、外添剤の量が少なくても十分な流動性が確保できると共に、現像性やクリーニング性も向上させることができる。
【０２９７】
一方、１つの発色部のみを有するトナーの場合には、上述した場合と比べると小径化がより容易であり、その体積平均粒径は３〜８μｍの範囲内が好ましく、４〜７μｍの範囲内が好ましい。体積平均粒径が３μｍ未満の場合には粒径が小さすぎるために粉体流動性が十分に得られなくなったり、十分な耐久性が得られない場合がある。また、体積平均粒径が８μｍを超えると、高精細な画像が得られなくなる場合がある。
【０２９８】
本発明には、以上説明したＦトナーをはじめ、光照射により（あるいは光が照射されないことにより）発色または非発色の状態を維持するように制御されるトナーであれば、用いる構成材料、トナーの構造、発色機構等によらず用いることができる。
【０２９９】
本発明に用いることができるトナーは、体積平均粒度分布指標ＧＳＤｖが１．３０以下であり、且つ、体積平均粒度分布指標ＧＳＤｖと数平均粒度分布指標ＧＳＤｐとの比（ＧＳＤｖ／ＧＳＤｐ）が、０．９５以上であることが好ましい。
【０３００】
更に好ましくは、体積平均粒度分布指標ＧＳＤｖが１．２５以下であり、且つ、体積平均粒度分布指標ＧＳＤｖと数平均粒度分布指標ＧＳＤｐとの比（ＧＳＤｖ／ＧＳＤｐ）が、０．９７以上であることが更に好ましい。
【０３０１】
体積分布指標ＧＳＤｖが１．３０を超えた場合には、画像の解像性が低下する場合があり、また、体積平均粒度分布指標ＧＳＤｖと数平均粒度分布指標ＧＳＤｐの比（ＧＳＤｖ／ＧＳＤｐ）が０．９５未満の場合、トナーの帯電性低下やトナーの飛散、カブリ等が発生し画像欠陥を招く場合がある。
【０３０２】
なお、本発明において、トナーの体積平均粒径や、上記した体積平均粒度分布指標ＧＳＤｖ、及び数平均粒度分布指標ＧＳＤｐの値は、次のようにして測定し算出した。
【０３０３】
まず、コールターマルチサイザーＩＩ（ベックマン−コールター社製）等の測定器を用いて測定されたトナーの粒度分布を分割された粒度範囲（チャンネル）に対し、個々のトナー粒子の体積および数について小径側から累積分布を描き、累積１６％となる粒径を、体積平均粒子径Ｄ１６ｖ、および、数平均粒子径Ｄ１６ｐと定義し、累積５０％となる粒径を、体積平均粒子径Ｄ５０ｖ、および、数平均粒子径Ｄ５０ｐと定義する。同様に、累積８４％となる粒径を、体積平均粒子径Ｄ８４ｖ、および、数平均粒子径Ｄ８４ｐと定義する。この際、体積平均粒度分布指標（ＧＳＤｖ）は、（Ｄ８４ｖ／Ｄ１６ｖ）１／２として定義され、数平均粒度指標（ＧＳＤｐ）は、（Ｄ８４ｐ／Ｄ１６ｐ）１／２として定義されるこれらの関係式を用いて、体積平均粒度分布指標（ＧＳＤｖ）および数平均粒度指標（ＧＳＤｐ）を算出できる。
【０３０４】
また、前記マイクロカプセルや感光・感熱カプセルの体積平均粒径は、例えば、レーザ回折式粒度分布測定装置（ＬＡ−７００、堀場製作所製）を用いて測定することができる。
【０３０５】
また、本発明のトナーは、下式（１）で表される形状係数ＳＦ１が、１１０〜１３０の範囲内であることが好ましい。
【０３０６】
ＳＦ１＝（ＭＬ２／Ａ）×（π／４）×１００  ・・・  式（１）
【０３０７】
〔但し、上記式（１）において、ＭＬはトナーの最大長（μｍ）を表し、Ａはトナーの投影面積（μｍ２）を表す。〕
【０３０８】
形状係数ＳＦ１が１１０未満の場合には、画像形成の際に転写工程で、像担持体表面にトナーが残留しやすくなるため、この残留トナーの除去が必要となるが、残留トナーをブレード等によりクリーニングする際のクリーニング性を損ないやすく、結果として画像欠陥を生じる場合がある。
【０３０９】
一方、形状係数ＳＦ１が１３０を超える場合には、トナーを現像剤として使用する場合に、現像器内でのキャリアとの衝突によりトナーが破壊される場合がある。この際、結果として微粉が増加したり、これによってトナー表面に露出した離型剤成分により像担持体表面等が汚染され帯電特性を損なうことがあるばかりでなく、微粉に起因するかぶりの発生等の問題を起こすことがある。
【０３１０】
形状係数ＳＦ１はルーゼックス画像解析装置（株式会社ニレコ製、ＦＴ）を用いて以下のように測定した。まず、スライドグラス上に散布したトナーの光学顕微鏡像をビデオカメラを通じてルーゼックス画像解析装置に取り込み、５０個以上のトナーについて最大長（ＭＬ）と投影面積（Ａ）を測定し、個々のトナーについて、最大長の２乗、投影面積を算出し、上記式（１）により形状係数ＳＦ１を求めた。
【０３１１】
＜現像剤＞
本発明に用いられるトナーは、そのまま一成分現像剤として用いてもよいが、本発明では、キャリアとトナーとからなる二成分現像剤におけるトナーとして使用することが好ましい。
【０３１２】
ここで、１種類の現像剤でカラー画像が形成できるという点からは、現像剤は、（１）前記光硬化性組成物と、該光硬化性組成物中に分散するマイクロカプセルとを含む発色部を２種類以上有するトナーを１種類有し、且つ、前記トナー中に含まれる２種類以上の発色部が互いに異なる色に発色可能であるタイプの現像剤、あるいは、（２）前記光硬化性組成物と、該光硬化性組成物中に分散するマイクロカプセルとを含む発色部を１つ有するトナーを２種類以上混合した状態で有し、且つ、前記２種類以上のトナーの発色部が互いに異なる色に発色可能であるタイプの現像剤であることが好ましい。
【０３１３】
例えば、前者のタイプの現像剤では、トナー中に３種類の発色部が含まれ、且つ、３種類の発色部が、イエロー色に発色可能なイエロー発色部、マゼンタ色に発色可能なマゼンタ発色部及びシアン色に発色可能なシアン発色部からなることが好ましく、後者のタイプの現像剤では、発色部がイエロー色に発色可能なイエロー発色性トナーと、発色部がマゼンタ色に発色可能なマゼンタ発色性トナーと、発色部がシアン色に発色可能なシアン発色性トナーとが混合した状態で現像剤中に含まれることが好ましい。
【０３１４】
二成分現像剤に使用し得るキャリアとしては、芯材表面に樹脂を被覆してなることが好ましい。キャリアの芯材としては、上記条件を満たしていれば特に規定されないが、例えば、鉄、鋼、ニッケル、コバルト等の磁性金属、これらとマンガン、クロム、希土類等との合金、及びフェライト、マグネタイト等の磁性酸化物等が挙げられるが、芯材表面性、芯材抵抗の観点から、好ましくはフェライト、特にマンガン、リチウム、ストロンチウム、マグネシウム等との合金が挙げられる。
【０３１５】
また、  芯材表面を被覆する樹脂としては、マトリックス樹脂として使用できるものであれば特に制限はなく、目的に応じて適宜選択することができる。
【０３１６】
上記二成分現像剤における、本発明のトナーと上記キャリアとの混合比（質量比）としては、トナー：キャリア＝１：１００〜３０：１００程度の範囲が好ましく、３：１００〜２０：１００程度の範囲がより好ましい。
【図面の簡単な説明】
【０３１７】
【図１】（Ａ）〜（Ｆ）は画像が形成される工程を説明するための図である。
【図２】（Ａ）〜（Ｅ）は色ずれの発生原因を説明するための図である。
【図３】（Ａ）〜（Ｄ）は色ずれ補正用のパターン画像の一例を示す図である。
【図４】（Ａ）〜（Ｄ）は図３（Ｄ）のパターン画像２００を用いて「ずれ量」を検出する手順を説明するための図である。
【図５】現像トナー像に対する露光ビームの切替え位置を示す図である。
【図６】（Ａ）は色ずれの発生方向を示す図であり、（Ｂ）はずれ量の計測方法を示す図である。
【図７】（Ａ）は色ずれの発生方向を示す図であり、（Ｂ）はずれ量の計測方法を示す図である。
【図８】（Ａ）及び（Ｂ）は、テストチャートにおける、図３（Ｄ）に示すパターン画像２００の配置例を示す図である。
【図９】（Ａ）は目視による色ずれ補正に適したパターン画像の一例を示す図である。（Ｂ）及び（Ｃ）は色ずれ補正が必要か否かの判定基準を示す図である。
【図１０】（Ａ）は目視による色ずれ補正に適したパターン画像の他の一例を示す図である。（Ｂ）及び（Ｃ）は「ずれ量」の判定基準を示す図である。
【図１１】本発明の画像形成装置の構成の一例を示す概略図である。
【図１２】図１１に示す画像形成装置の制御系の構成を示すブロック図である。
【図１３】図１１に示す画像形成装置の露光制御系の動作を説明するための機能ブロック図である。
【図１４】図１２に示す画像形成装置で実行される「色ずれ補正プログラム」の処理ルーチンを示すフローチャートである。
【図１５】「Ｆトナー」中の前記発色部の一例を示す模式図である。（Ａ）は１つの発色部の概略的な構造を示す図であり、（Ｂ）はさらにその発色部に含まれる材料を示す図である。
【符号の説明】
【０３１８】
１０   感光体
１２   帯電装置
１４   露光装置
１６   現像装置
１８   転写装置
２０   クリーナ
２２   定着装置
２４   発色固定装置
２８   発色情報付与装置
３０   コントロールユニット
３１   バス
３２   表示入力部
３４   情報取得部
３６   色ずれ検出部
３８   制御部
４０   画像処理部
４２   メモリ
４４   検出データ取得部
４６   露光制御部
４８   発色情報付与制御部
５０   発色性マイクロカプセル
５２   発色剤（第１成分）
５４   顕色剤モノマー（第２成分）
５６   光重合開始剤
５８   組成物
６０   発色部
６２   テストチャート画像データ
６４   色ずれ補正プログラム
６６   設定値記憶部
６８   設定値記憶部
７０   ＹＭＣ書き込み画像データ生成部
７２   論理和回路
７４   光源
７６Ｙ 光源
７６Ｍ 光源
７６Ｃ 光源
８０Ｙ イエロー発色制御回路
８０Ｃ シアン発色制御回路
８０Ｙ マゼンタ発色制御回路
８０Ｍ マゼンタ発色制御回路
８２   発振回路
１００ 記録媒体
１０２ 画像形成領域
１０４ 画像部
１０６ 非画像部
１０８ 露光領域
１１０ 静電潜像
１１２ 現像トナー像
１１４ 露光領域
１１６ トナー像
１１８ 発色トナー像
２００ パターン画像
２０２ 第１パターン
２０４ 第２パターン
２０６ 第１画像部
２０６Ｍ      主基準直線
２０６Ｓ      副基準直線
２０８ 非画像部
２１０ 第２画像部
２１０Ｍ      主基準直線
２１０Ｓ      副基準直線
２１２ 背景画像部
２２０ パターン画像
２２２ 第１パターン
２２４ 第２パターン
２２６ 第１画像部
２２８ 非画像部
２３０Ａ      第２画像部
２３０Ｂ      第２画像部
２３２ 背景画像部
２４０ パターン画像
２４２ 第１パターン
２４４ 第２パターン
２４６ 第１画像部
２４８ 非画像部
２５０ 第２画像部
２５２ 背景画像部
３００ 現像トナー像
３０２ 領域
３０４ 領域
３０６ トナー像領域
３０８ トナー不在領域
３１０ トナー像領域
３１２ トナー像領域
４００ 露光パターン
４０２ 領域
４０４ 領域
４０６ 第１発色情報付与領域
４０８ 第１発色情報付与領域
４１０ 第２発色情報付与領域
４１２ 第３発色情報付与領域
４１４ ビーム
４１６ 境界
５００ 発色トナー像
５０２ 領域
５０４ 領域
５０６ 発色トナー像
５０６Ｍ      主基準直線
５０６Ｓ      副基準直線
５０８ 白色画像
５１０ 発色トナー像
５１０Ｍ      主基準直線
５１０Ｓ      副基準直線
５１２Ｃ      白色画像
５１２Ａ      発色トナー像
５１２Ｂ      発色トナー像
５２０ 発色トナー像
５２２ 領域
５２４ 領域
５２６ 発色トナー像
５２８ 白色画像
５３０Ａ      発色トナー像
５３０Ｂ      発色トナー像
５３２Ａ      発色トナー像
５３２Ｂ      白色画像
５４０ 発色トナー像
５４２ 領域
５４４ 領域
５４６Ａ      発色トナー像
５４６Ｂ      発色トナー像
５４８ 白色画像
５５０Ａ      発色トナー像
５５０Ｂ      発色トナー像
５５２Ａ      発色トナー像
５５２Ｂ      白色画像
６００ 発色トナー像
６０２ 領域
６０４ 領域
６０６Ａ      発色トナー像
６０６Ｂ      発色トナー像
６０６Ｍ      主基準直線
６０６Ｓ      副基準直線
６０８ 白色画像
６１０ 発色トナー像
６１０Ｍ      主基準直線
６１０Ｓ      副基準直線
６１２Ａ      発色トナー像
６１２Ｂ      白色画像
７００Ａ      テストチャート
７００Ｂ      テストチャート
【図１】
0005088053.tif 000002
【図２】
0005088053.tif 000003
【図３】
0005088053.tif 000004
【図４】
0005088053.tif 000005
【図５】
0005088053.tif 000006
【図６】
0005088053.tif 000007
【図７】
0005088053.tif 000008
【図８】
0005088053.tif 000009
【図９】
0005088053.tif 000010
【図１０】
0005088053.tif 000011
【図１１】
0005088053.tif 000012
【図１２】
0005088053.tif 000013
【図１３】
0005088053.tif 000014
【図１４】
0005088053.tif 000015
【図１５】
0005088053.tif 000016